(57)【要約】【課題】球を１個宛て保持可能な凹部（球保持部）を有する回転体へ球が入賞するか否か予め予測するのが困難な回転体電動役物（回転体ユニット）を備えた遊技機を提供する。【解決手段】遊技領域に、球を保持可能な球保持部を備えた回転体（４４８）と、該回転体の前方に配置された揺動部材（４４６）とを有する回転体ユニット（４４）を設け、回転体と揺動部材はそれぞれ異なる駆動源により回動可能に構成し、揺動部材には、球が通過不能な開口封鎖部と球が通過可能な切欠部（４４６ｅ）とを形成した回転体カバー部材（４４６ｄ）を設け、回転体ユニットは球保持部と切欠部とが重なった場合に球が球保持部へ流入可能な状態になるように構成した。【選択図】図５
2011245030.tif 000002
【特許請求の範囲】
【請求項１】
遊技球が入賞可能な開状態と、遊技球が入賞不可能な閉状態とに変換可能な変動入賞装置を遊技領域に備え、
所定条件の成立に基づき、前記変動入賞装置を開閉動作させる遊技者に有利な特別遊技状態を発生させる遊技機において、
前記遊技領域に、球を保持可能な球保持部を備えた回転体を有する回転体ユニットを備え、
前記回転体ユニットは、
前記回転体と、前記回転体の前方に揺動可能に配置された揺動部材と、を備え、
前記回転体と前記揺動部材は、それぞれ異なる駆動源により回動可能に構成され、
前記揺動部材は、前記回転体の前記球保持部の開口側に配置され球が通過不能な開口封鎖部と、球が通過可能な切欠き部とが形成された回転体カバー部材と、を有し、
前記球保持部と前記切欠き部とが重なった場合に球が前記球保持部へ流入可能な流入可能状態となることを特徴とする遊技機。
【請求項２】
前記揺動部材には、球が転動可能な転動面が形成され、
該転動面の少なくとも前側には球転動方向に沿って球の半径より高い起立壁が形成されていることを特徴とする請求項１に記載の遊技機。
【請求項３】
前記回転体ユニットの内部空間は、前記回転体のほぼ中段位置に横長に配置された前記揺動部材によって上空間領域と下空間領域とに分割され、前記揺動部材の回動に応じて前記上空間領域から下空間領域へ球の流下が可能であり、
前記上空間領域においては、前記回転体が回動されて前記球保持部が前記上空間領域の所定位置に来た際に前記球保持部内の球が前記揺動部材の転動面上へ放出可能とされる一方、
前記下空間領域においては、前記回転体カバー部材の開口封鎖部により前記球保持部へ球の流入が不能とされ、前記回転体および前記揺動部材がそれぞれ回動されて前記切欠き部と前記球保持部との位置が一致した場合に前記球保持部へ球の流入が可能とされることを特徴とする請求項２に記載の遊技機。
【請求項４】
前記上空間領域を形成する回転体ユニットの側壁と前記揺動部材との間の隙間は球の半径以下とされ、
前記下空間領域を形成する回転体ユニットの側壁と前記揺動部材の端部とは球１つ分以上の間隔を有し、前記揺動部材の側方が前記上空間領域から下空間領域への球の流下部とされ、
前記揺動部材の転動面上の球は、前記揺動部材が所定角度以上回動することにより前記上空間領域から前記流下部を通過して前記下空間領域へ移動可能であることを特徴とする請求項３に記載の遊技機。
【請求項５】
前記回転体には、駆動源よりギヤを介して動力が伝達されており、
前記ギヤは、前記回転体に隣接して配置されることで前記球保持部の開口の一部を塞ぐ壁体を兼用するように構成されていることを特徴とする請求項１から４のいずれかに記載の遊技機。
【発明の詳細な説明】
【技術分野】
【０００１】
本発明は、遊技球を一個宛て保持可能な凹部を有する円板状の回転体と、該回転体の凹部へ遊技球を通過不能にする開口封鎖部と遊技球を通過可能にする切欠き部が形成された回転体カバーとを有する回転体ユニットを備えた遊技機に関する。
【背景技術】
【０００２】
従来のパチンコ機には、円周方向の一部に遊技球を一個宛て保持可能な凹部（遊技球保持部）を有する円板状の回転体と、該回転体と同一の軸の周りに回動可能であって回転体の凹部と交差する位置に遊技球を通過可能にする切り欠きを有する回転体カバーとを備えた電動役物を遊技盤に設け、所定の権利が発生した場合に、回転体カバーの切り欠きが上方に位置するように回転体カバーを停止させる。そして、回転体が回転して凹部（遊技球保持部）が上方へ来た時に遊技球を凹部（遊技球保持部）へ受け入れ可能とし、権利が終了したら回転体カバーを入賞不能状態へ変換させることで、回転体の遊技球保持部への入賞可能・不能状態を切り替えるようにしたものがある（特許文献１）。
【０００３】
かかるパチンコ機においては、権利発生時に回転体への遊技球の受け入れを容易にしながら、権利が発生しない限り、回転体への受け入れを不可能にできるので、過度な入賞が発生するのを防止することができる。また、回転体への遊技球の受け入れが可能か否かを目視することができ、権利の発生及び終了を遊技者に対して容易に分からしめることができるという利点がある。
【先行技術文献】
【特許文献】
【０００４】
【特許文献１】特開２００２−５８８１０号公報
【発明の概要】
【発明が解決しようとする課題】
【０００５】
しかしながら、上記のような回転体電動役物を備えたパチンコ機においては、回転体カバーが回転体入賞可能な位置で固定されることで入賞可能状態となるので、遊技者は入賞可能な否かを予め予測できてしまうこととなり、入賞困難な期間においては回転体電動役物へ向かって流下する球に対して関心がなく結果を待たずに早々と落胆してしまい、興趣が高まらないという不具合がある。
【０００６】
本発明は、上記課題に鑑みてなされたもので、その目的は、球を１個宛て保持可能な凹部（球保持部）を有する回転体へ球が入賞するか否か予め予測するのが困難な回転体電動役物（回転体ユニット）を備えた遊技機を提供することにある。
また、回転体の球保持部と回転体カバーの切欠きとの間に球が挟まってしまういわゆる球噛みを防止することができる回転体電動役物（回転体ユニット）を備えた遊技機を提供することを目的とする。
【課題を解決するための手段】
【０００７】
上記の課題を解決するため、請求項１に記載の発明は、
遊技球が入賞可能な開状態と、遊技球が入賞不可能な閉状態とに変換可能な変動入賞装置を遊技領域に備え、
所定条件の成立に基づき、前記変動入賞装置を開閉動作させる遊技者に有利な特別遊技状態を発生させる遊技機において、
前記遊技領域に、球を保持可能な球保持部を備えた回転体を有する回転体ユニットを備え、
前記回転体ユニットは、
前記回転体と、前記回転体の前方に揺動可能に配置された揺動部材と、を備え、
前記回転体と前記揺動部材は、それぞれ異なる駆動源により回動可能に構成され、
前記揺動部材は、前記回転体の前記球保持部の開口側に配置され球が通過不能な開口封鎖部と、球が通過可能な切欠き部とが形成された回転体カバー部材と、を有し、
前記球保持部と前記切欠き部とが重なった場合に球が前記球保持部へ流入可能な流入可能状態となることを特徴とする。
【０００８】
請求項１に記載の発明によれば、回転体と揺動部材がそれぞれ異なる駆動源により回動可能に構成されているため、回転体と揺動部材が別々に回動されることで球保持部の入口がランダムな場所で流入可能状態となるので、回転体への遊技球の流入タイミングが予測し難くなり、遊技の興趣が高まる。また、回転体の前方に他の駆動源により揺動する揺動部材を設けたので、回転体の回転方向や速度を変化させるなど回転体の動きに制約を与えずに、回転体の球保持部入口と回転体カバー部材の切欠き部との間に球が挟まれてしまう球噛みが発生するのを防止することができる。
【０００９】
請求項２に記載の発明は、請求項１に記載の遊技機において、
前記揺動部材には、球が転動可能な転動面が形成され、
該転動面の少なくとも前側には球転動方向に沿って球の半径より高い起立壁が形成されていることを特徴とする。
【００１０】
請求項２に記載の発明によれば、回転体とは別の駆動源で回動される揺動部材の転動面上を球が転動するので、回転体の動きとは異なる球の動きが生じることにより、球の動きに対する遊技者の注意を惹きつけて興趣を高めることができる。また、揺動部材の転動面の少なくとも前側には球転動方向に沿って球の半径より高い起立壁が形成されているため、揺動部材の転動面上を頻繁に転動する球が回転体ユニットの前面を覆う部材に接触するのを回避して、汚れや傷がつくのを防止することができる。
【００１１】
請求項３に記載の発明は、請求項２に記載の遊技機において、
前記回転体ユニットの内部空間は、前記回転体のほぼ中段位置に横長に配置された前記揺動部材によって上空間領域と下空間領域とに分割され、前記揺動部材の回動に応じて前記上空間領域から下空間領域へ球の流下が可能であり、
前記上空間領域においては、前記回転体が回動されて前記球保持部が前記上空間領域の所定位置に来た際に前記球保持部内の球が前記揺動部材の転動面上へ放出可能とされる一方、
前記下空間領域においては、前記回転体カバー部材の開口封鎖部により前記球保持部へ球の流入が不能とされ、前記回転体および前記揺動部材がそれぞれ回動されて前記切欠き部と前記球保持部との位置が一致した場合に前記球保持部へ球の流入が可能とされることを特徴とする。
【００１２】
請求項３に記載の発明によれば、回転体ユニットは、回転体の球保持部から球が放出される上空間領域と、回転体の球保持部へ球が流入する下空間領域とに分かれているため、上空間領域と下空間領域でそれぞれ球が移動可能であるとともに、揺動部材の回動に応じて上空間領域から下空間領域へ球の流下が可能であるためユニット内における球の移動経路が複雑となり、遊技の興趣が高まる。
【００１３】
請求項４に記載の発明は、請求項３に記載の遊技機において、
前記上空間領域を形成する回転体ユニットの側壁と前記揺動部材との間の隙間は球の半径以下とされ、
前記下空間領域を形成する回転体ユニットの側壁と前記揺動部材の端部とは球１つ分以上の間隔を有し、前記揺動部材の側方が前記上空間領域から下空間領域への球の流下部とされ、
前記揺動部材の転動面上の球は、前記揺動部材が所定角度以上回動することにより前記上空間領域から前記流下部を通過して前記下空間領域へ移動可能であることを特徴とする。
【００１４】
請求項４に記載の発明によれば、上転動面にある球は揺動部材が所定角度以上回動しなければ下空間領域には移動しないので、演出を実行したいときだけ所望のタイミングで回転体の球保持部へ流入可能である下空間領域へ球を流下させることができ、演出に合わせた球の移動制御を容易かつ確実に行うことができる。また、下空間領域から上空間領域へ球が逆流するのを防止できるとともに、揺動部材の転動面上へ放出した球を比較的長い時間上空間領域に待機させておくことができる。さらに、大小２個の球を回転体ユニット内に封入している場合に、揺動部材の回動角度を調整することで、揺動部材の転動面上へ放出した球のうち小さい方の球を先に下空間領域へ移動させるような演出を行うことができる。
【００１５】
請求項５に記載の発明は、請求項１〜４のいずれかに記載の遊技機において、
前記回転体には、駆動源よりギヤを介して動力が伝達されており、
前記ギヤは、前記回転体に隣接して配置されることで前記球保持部の開口の一部を塞ぐ壁体を兼用するように構成されていることを特徴とする。
【００１６】
請求項５に記載の発明によれば、球保持部に壁を設けなくてよいので、その分部品（回転体）の構造が簡単になるとともに、球保持部に壁を設ける場合に比べて壁の分のスペースを節約できるので、ユニット全体の小型化が可能になる。
【発明の効果】
【００１７】
本発明によれば、球を１個宛て保持可能な凹部（球保持部）を有する回転体へ球が入賞するか否か予め予測するのが困難な回転体電動役物（回転体ユニット）を備えた遊技機を実現することができる。また、回転体の凹部（球保持部）と回転体カバーの切欠きとの間に球が挟まってしまういわゆる球噛みを防止できる回転体電動役物（回転体ユニット）を備えた遊技機を実現することができるという効果がある。
【図面の簡単な説明】
【００１８】
【図１】本発明を適用した一実施形態の遊技機の構成を示す斜視図である。
【図２】本発明を適用した一実施形態の遊技機の遊技盤の構成を示す正面図である。
【図３】本発明を適用した一実施形態の遊技機の制御系を示すブロック図である。
【図４】本発明を適用した一実施形態の遊技機を構成する演出制御装置の構成例を示すブロック図である。
【図５】盤演出装置の一実施例を示す斜視図である。
【図６】盤演出装置の一実施例を示す分解図である。
【図７】盤演出装置の一実施例を示す背面図である。
【図８】盤演出装置を構成する回転体を正面側から見た斜視図および背面側から見た斜視図である。
【図９】盤演出装置を構成する揺動部材を正面側から見た斜視図である。
【図１０】実施例の遊技機における演出制御装置による変動表示遊技実行処理の手順の一例を示すフローチャートである。
【図１１】図１０の変動表示遊技実行処理の中で実行される回転体予告演出実行処理の手順の一例を示すフローチャートである。
【図１２】実施例の盤演出装置による予告演出の一使用例における初期状態および第１段階の状態を示す説明図である。
【図１３】実施例の盤演出装置による予告演出の一使用例における揺動部材の揺動状態および第２段階の状態を示す説明図である。
【図１４】実施例の盤演出装置による予告演出の一使用例における最終段階を示す説明図である。
【図１５】実施例の盤演出装置による予告演出の第２使用例における初期状態および演出開始直後の状態を示す説明図である。
【図１６】実施例の盤演出装置による予告演出の第２使用例における第１段階の状態および揺動部材の揺動状態を示す説明図である。
【図１７】実施例の盤演出装置による予告演出の第２使用例における第２段階の状態および最終段階を示す説明図である。
【図１８】実施例の盤演出装置における球保持部へ球が入った直後の様子を示す正面図および断面図である。
【図１９】実施例の盤演出装置における球保持部から球が放出される様子を示す正面図および断面図である。
【図２０】実施例の盤演出装置の電源投入時の初期動作を示す説明図である。
【発明を実施するための形態】
【００１９】
以下、本発明の好適な実施の形態を図面に基づいて説明する。ここでは、本発明に係る遊技機の適例としてのパチンコ機について説明を行う。
【００２０】
図１は、本発明の一実施形態の遊技機を正面側から見た斜図である。
本実施形態の遊技機１０は前面枠１２を備え、該前面枠１２は本体枠（外枠）１１にヒンジ１３を介して開閉回動可能に組み付けられている。遊技盤３０（図２参照）は前面枠１２の表側に形成された収納部（図示省略）に収納されている。また、前面枠（内枠）１２には、遊技盤３０の前面を覆うカバーガラス（透明部材）１４を備えたガラス枠１５が取り付けられている。
【００２１】
また、ガラス枠１５の上部には、内部にランプ及びモータを内蔵した照明装置（ムービングライト）１６や払出異常報知用のランプ（ＬＥＤ）１７が設けられている。また、ガラス枠１５の左右には内部にランプ等を内蔵し装飾や演出のための発光をする枠装飾装置１８や、音響（例えば、効果音）を発するスピーカ（上スピーカ）１９ａが設けられている。さらに、前面枠１２の下部にもスピーカ（下スピーカ）１９ｂが設けられている。
【００２２】
また、前面枠１２の下部には、図示しない打球発射装置に遊技球を供給する上皿２１、遊技機１０の裏面側に設けられている球払出装置から払い出された遊技球が流出する上皿球出口２２、上皿２１が一杯になった状態で払い出された遊技球を貯留する下皿２３及び打球発射装置の操作ハンドル２４等が設けられている。さらに、上皿２１の上縁部には、遊技者からの操作入力を受け付けるための操作スイッチを内蔵した演出ボタン２５および該演出ボタン２５に隣接してセレクタボタン２９が設けられている。さらに、前面枠１２下部右側には、前面枠１２を開放したり施錠したりするための鍵２６が設けられている。
【００２３】
この実施形態の遊技機１０においては、遊技者が上記操作ハンドル２４を回動操作することによって、打球発射装置が、上皿２１から供給される遊技球を遊技盤３０前面の遊技領域３２に向かって発射する。また、遊技者が演出ボタン２５やセレクタボタン２９を操作することによって、表示装置４１（図２参照）における変動表示ゲーム（飾り特図変動表示ゲーム）において、遊技者の操作を介入させた演出等を行わせることができる。さらに、上皿２１上方のガラス枠１５の前面には、遊技者が隣接する球貸機から球貸しを受ける場合に操作する球貸ボタン２７、球貸機のカードユニットからプリペイドカードを排出させるために操作する排出ボタン２８、プリペイドカードの残高を表示する残高表示部（図示省略）等が設けられている。
【００２４】
次に、図２を用いて遊技盤３０の一例について説明する。図２は、本実施形態の遊技盤３０の正面図である。
遊技盤３０の表面には、ガイドレール３１で囲われた略円形状の遊技領域３２が形成されている。遊技領域３２は、遊技盤３０の四隅に各々設けられた樹脂製のサイドケース３３及びガイドレール３１に囲繞されて構成される。遊技領域３２には、ほぼ中央に表示装置４１を備えたセンターケース４０が配置されている。表示装置４１は、センターケース４０に設けられた凹部に、センターケース４０の前面より奥まった位置に取り付けられている。即ち、センターケース４０は表示装置４１の表示領域の周囲を囲い、表示装置４１の表示面よりも前方へ突出するように形成されている。さらに、センターケース４０の下部、表示装置４１の前方には、回転体４４８および揺動部材４４６を備え演出用の見せ球が封入され該見せ球を流下させることで演出効果を高めるための回転体電動役物（回転体ユニット）からなる盤演出装置４４が設けられている。
【００２５】
表示装置４１は、例えば、ＬＣＤ（液晶表示器）、ＣＲＴ（ブラウン管）等の表示画面を有する装置で構成されている。表示画面の画像を表示可能な領域（表示領域）には、複数の識別情報（特別図柄）や特図変動表示ゲームを演出するキャラクタや演出効果を高める背景画像等が表示される。表示装置４１の表示画面においては、識別情報として割り当てられた複数の特別図柄が変動表示（可変表示）されて、特図変動表示ゲームに対応した飾り特図変動表示ゲームが行われる。また、表示画面には遊技の進行に基づく演出のための画像（例えば、大当たり表示画像、ファンファーレ表示画像、エンディング表示画像等）が表示される。
【００２６】
遊技領域３２のセンターケース４０の左側には、普通図柄始動ゲート（普図始動ゲート）３４が設けられている。センターケース４０の左下側には、一般入賞口３５が配置され、この一般入賞口３５には、一般入賞口３５に入った遊技球を検出するための入賞口スイッチ３５ａ（図３参照）が配設されている。
【００２７】
また、センターケース４０の下方には、特図変動表示ゲームの開始条件を与える始動入賞口３６が設けられ、その直下には上部に逆「ハ」の字状に開いて遊技球が流入し易い状態に変換する一対の可動部材３７ｂ、３７ｂを備えるとともに内部に第２始動入賞口を有する普通変動入賞装置（普電）３７が配設されている。
【００２８】
普通変動入賞装置３７の一対の開閉部材３７ｂ，３７ｂは、常時は遊技球の直径程度の間隔をおいた閉じた閉状態（遊技者にとって不利な状態）を保持している。ただし、普通変動入賞装置３７の上方には、始動入賞口３６が設けられているので、閉じた状態では遊技球が入賞できないようになっている。
そして、普図変動表示ゲームの結果が所定の停止表示態様となった場合には、駆動装置としての普電ソレノイド３７ｃ（図３参照）によって、逆「ハ」の字状に開いて普通変動入賞装置３７に遊技球が流入し易い開状態（遊技者にとって有利な状態）に変化させられるようになっている。
【００２９】
さらに、普通変動入賞装置３７の下方には、特図変動表示ゲームの結果によって遊技球を受け入れない状態と受け入れ易い状態とに変換可能な特別変動入賞装置（大入賞口）３８が配設されている。
【００３０】
特別変動入賞装置３８は、上端側が手前側に倒れる方向に回動して開放可能になっているアタッカ形式の開閉扉３８ｃを有しており、補助遊技としての特図変動表示ゲームの結果如何によって大入賞口を閉じた状態（遊技者にとって不利な閉塞状態）から開放状態（遊技者にとって有利な状態）に変換する。
即ち、特別変動入賞装置３８は、例えば、駆動装置としての大入賞口ソレノイド３８ｂ（図３参照）により駆動される開閉扉３８ｃによって開閉される大入賞口を備え、特別遊技状態中は、大入賞口を閉じた状態から開いた状態に変換することにより大入賞口内への遊技球の流入を容易にさせ、遊技者に所定の遊技価値（賞球）を付与するようになっている。
【００３１】
なお、大入賞口の内部（入賞領域）には、当該大入賞口に入った遊技球を検出する検出手段としてのカウントスイッチ３８ａ（図３参照）が配設されている。
特別変動入賞装置３８の下方には、入賞口などに入賞しなかった遊技球を回収するアウト口３９が設けられている。
【００３２】
また、遊技領域３２の外側（例えば、遊技盤３０の上部）には、特図変動表示ゲームをなす第１特図変動表示ゲームや第２特図変動表示ゲーム及び普図始動ゲート３４への入賞をトリガとする普図変動表示ゲームを一箇所で実行する一括表示装置５０が設けられている。
【００３３】
一括表示装置５０は、７セグメント型の表示器（ＬＥＤランプ）等で構成された第１特図変動表示ゲーム用の第１特図変動表示部（特図１表示器）８１及び第２特図変動表示ゲーム用の第２特図変動表示部（特図２表示器）８２と、ＬＥＤランプで構成され普図変動表示ゲーム用の変動表示や各変動表示ゲームの始動記憶数報知用の記憶表示、大当りの発生や時短状態発生、電源投入時に大当りの確率状態が高確率状態となっているエラーの表示、大当り時のラウンド数を表示する表示部５３とが設けられている。
【００３４】
特図１表示器５１と特図２表示器５２における特図変動表示ゲームは、例えば変動表示ゲームの実行中、即ち、表示装置４１において飾り特図変動表示ゲームを行っている間は、中央のセグメントを点滅駆動させて変動中であることを表示する。そして、ゲームの結果が「はずれ」のときは、はずれの結果態様として例えば中央のセグメントを点灯状態にし、ゲームの結果が「当り」のときは、当りの結果態様（特別結果態様）としてはずれの結果態様以外の結果態様（例えば「３」や「７」の数字等）を点灯状態にしてゲーム結果を表示する。
【００３５】
表示部５３の普図表示器は、変動中はランプを点滅させて変動中であることを表示する。そして、ゲームの結果が「はずれ」のときは、例えばランプを消灯状態にし、ゲームの結果が「当り」のときはランプを点灯状態にしてゲーム結果を表示する。
【００３６】
表示部５３の特図１保留表示器は、特図１表示器５１の変動開始条件となる始動入賞口３６への入賞球数のうち未消化の球数（始動記憶数＝保留数）を４つのランプで表示する。具体的には、保留数が「０」のときは４つのランプを全て消灯状態にし、保留数が「１」のときは１つランプのみを点灯状態にする。また、保留数が「２」のときは２つのランプを点灯状態にし、保留数が「３」のときは３つのランプを点灯状態にし、保留数が「４」のときは４つのランプをすべて点灯状態にする。
【００３７】
表示部５３の特図２保留表示器は、特図２表示器５２の変動開始条件となる第２始動入賞口（普通変動入賞装置３７）の始動記憶数（＝保留数）を、特図１保留表示器と同様にして４つのランプで表示する。
【００３８】
表示部５３の普図保留表示器は、普図表示器の変動開始条件となる普図始動ゲート３４の始動記憶数（＝保留数）を２つのランプで表示する。例えば保留数が「０」のときは２つのランプを消灯状態にし、保留数が「１」のときは一方のランプのみを点灯状態にする。また、保留数が「２」のときは２つのランプを点灯状態にし、保留数が「３」のときは一方のランプを点滅、他方のランプを点灯状態にし、保留数が「４」のときは２つのランプを点滅状態にする。
【００３９】
表示部５３の第１遊技状態表示器は、例えば通常の遊技状態の場合にはランプを消灯状態にし、大当りが発生している場合にはランプを点灯状態にする。第２遊技状態表示器は、例えば通常の遊技状態の場合にはランプを消灯状態にし、時短状態が発生している場合にはランプを点灯状態にする。
【００４０】
表示部５３のエラー表示器は、例えば遊技機１０の電源投入時に大当りの確率状態が低確率状態の場合にはランプを消灯状態にし、遊技機１０の電源投入時に大当りの確率状態が高確率状態の場合にはランプを点灯状態にする。
【００４１】
表示部５３のラウンド表示部は、例えば、通常の遊技状態の場合にはランプを消灯状態にし、大当りが発生した場合にはその大当りのラウンド数に対応するランプ（２ラウンドｏｒ１５ラウンド）を点灯状態にする。なお、ラウンド表示部は７セグメント型の表示器で構成してもよい。
【００４２】
本実施形態の遊技機１０では、図示しない発射装置から遊技領域３２に向けて遊技球（パチンコ球）が打ち出されることによって遊技が行われる。打ち出された遊技球は、遊技領域３２内の各所に配置された障害釘や風車等の方向転換部材によって転動方向を変えながら遊技領域３２を流下し、普図始動ゲート３４、一般入賞口３５、始動入賞口３６、普通変動入賞装置３７又は特別変動入賞装置３８に入賞するか、遊技領域３２の最下部に設けられたアウト口３９へ流入し遊技領域から排出される。そして、一般入賞口３５、始動入賞口３６、普通変動入賞装置３７又は特別変動入賞装置３８に遊技球が入賞すると、入賞した入賞口の種類に応じた数の賞球が、払出制御装置２００によって制御される払出ユニットから、前面枠１２の上皿２１又は下皿２３に排出される。
【００４３】
一方、普図始動ゲート３４内には、該普図始動ゲート３４を通過した遊技球を検出するための非接触型のスイッチなどからなるゲートスイッチ３４ａ（図３参照）が設けられており、遊技領域３２内に打ち込まれた遊技球が普図始動ゲート３４内を通過すると、ゲートスイッチ３４ａにより検出されて普図変動表示ゲームが行われる。
【００４４】
また、普図変動表示ゲームを開始できない状態、例えば、既に普図変動表示ゲームが行われ、その普図変動表示ゲームが終了していない状態や、普図変動表示ゲームが当って普通変動入賞装置３７が開状態に変換されている場合に、普図始動ゲート３４を遊技球が通過すると、普図始動記憶数の上限数未満でならば、普図始動記憶数が加算（＋１）されて普図始動記憶が１つ記憶されることとなる。この普図始動入賞の記憶数は、一括表示装置５０の始動入賞数報知用の表示部５３に表示される。
【００４５】
また、普図始動記憶情報として、普図変動表示ゲームの当りはずれを決定するための当り判定用乱数値が記憶されるようになっていて、この当り判定用乱数値が判定値と一致した場合に、当該普図変動表示ゲームが当りとなって特定の結果態様（特定結果）が導出されることとなる。
【００４６】
普図変動表示ゲームは、一括表示装置５０に設けられた表示部５３の普図表示器で実行されるようになっている。普図表示器は、普通識別情報（普図、普通図柄）として点灯状態の場合に当たりを示し、消灯状態の場合にはずれを示すＬＥＤから構成され、このＬＥＤを点滅表示することで普通識別情報の変動表示を行い、所定の変動表示時間の経過後、ＬＥＤを点灯又は消灯することで結果を表示するようになっている。
【００４７】
なお、普通識別情報として例えば数字、記号、キャラクタ図柄などを用い、これを所定時間変動表示させた後、停止表示させることにより行うように構成しても良い。この普図変動表示ゲームの停止表示が特定結果となれば、普図の当りとなって、普通変動入賞装置３７の一対の可動部材３７ｂが所定時間（例えば、０．３秒間）開放される開状態となる。これにより、普通変動入賞装置３７の内部の第２始動入賞口へ遊技球が入賞し易くなり、第２特図変動表示ゲームが実行される回数が多くなる。
【００４８】
普図始動ゲート３４への通過検出時に抽出した普図乱数値が当たり値であるときには、表示部５３の普図表示器に表示される普通図柄が当たり状態で停止し、当たり状態となる。このとき、普通変動入賞装置３７は、内蔵されている普電ソレノイド３７ｃ（図３参照）が駆動されることにより、可動部材３７ｂが所定の時間（例えば、０．３秒間）だけ開放する状態に変換され、遊技球の入賞が許容される。
【００４９】
始動入賞口３６への入賞球及び普通変動入賞装置３７への入賞球は、それぞれは内部に設けられた始動口１スイッチ３６ａと始動口２スイッチ３７ａによって検出される。始動入賞口３６へ入賞した遊技球は第１特図変動表示ゲームの始動入賞球として検出され、所定の上限数（例えば、４個）を限度に記憶されるとともに、普通変動入賞装置３７へ入賞した遊技球は第２特図変動表示ゲームの始動入賞球として検出され、所定の上限数（例えば、４個）を限度に記憶される。
【００５０】
また、この始動入賞球の検出時にそれぞれ大当り乱数値や大当り図柄乱数値、並びに各変動パターン乱数値が抽出され、抽出された乱数値は、遊技制御装置１００（図３参照）内の特図記憶領域（ＲＡＭの一部）に特図の始動記憶（始動入賞情報）として各々所定回数（例えば、最大で４回分）を限度に記憶される。そして、この特図始動記憶の記憶数は、一括表示装置５０の始動入賞数報知用の表示部５３に表示されるとともに、センターケース４０の表示装置４１においても表示される。
【００５１】
遊技制御装置１００は、始動入賞口３６若しくは普通変動入賞装置３７への入賞、又はそれらの始動記憶に基づいて、特図表示器（変動表示装置）８１又は８２で第１又は第２特図変動表示ゲームを行う。
第１特図変動表示ゲーム及び第２特図変動表示ゲームは、複数の特別図柄（特図、識別情報）を変動表示したのち、所定の結果態様を停止表示することで行われる。また、表示装置４１にて各特図変動表示ゲームに対応して複数種類の識別情報（例えば、数字、記号、キャラクタ図柄など）を変動表示させる飾り特図変動表示ゲームが実行されるようになっている。
そして、特図変動表示ゲームの結果として、特図１表示器５１若しくは特図２表示器５２の表示態様が特別結果態様となった場合には、大当りとなって特別遊技状態（いわゆる、大当り状態）となる。また、これに対応して表示装置４１の表示態様も特別結果態様となる。
【００５２】
表示装置４１における飾り特図変動表示ゲームは、例えば前述した数字等で構成される飾り特別図柄（識別情報）が左（第一特別図柄）、右（第二特別図柄）、中（第三特別図柄）の順に変動表示を開始して、所定時間後に変動している図柄を順次停止させて、特図変動表示ゲームの結果を表示することで行われる。また、表示装置４１では、特図始動記憶数に対応する飾り特別図柄による変動表示ゲームを行うとともに、興趣向上のためにキャラクタの出現など多様な演出表示が行われる。
【００５３】
なお、特図１表示器５１、特図２表示器５２は、別々の表示器でも良いし同一の表示器でも良いが、各々独立して、また、同時には実行しないように各特図変動表示ゲームが表示される。また、表示装置４１も、第１特図変動表示ゲームと第２特図変動表示ゲームで別々の表示装置や別々の表示領域を使用するとしても良いし、同一の表示装置や表示領域を使用するとしても良いが、各々独立して、また、同時には実行しないように飾り特図変動表示ゲームが表示される。また、遊技機１０に特図１表示器５１、特図２表示器５２を備えずに、表示装置４１のみで特図変動表示ゲームを実行するようにしても良い。
【００５４】
また、第２特図変動表示ゲームは、第１特図変動表示ゲームよりも優先して実行されるようになっている。即ち、第１特図変動表示ゲームと第２特図変動表示ゲームの始動記憶がある場合であって、特図変動表示ゲームの実行が可能となった場合は、第２特図変動表示ゲームが実行されるようになっている。
【００５５】
また、第１特図変動表示ゲーム（第２特図変動表示ゲーム）が開始可能な状態で、且つ、始動記憶数が０の状態で、始動入賞口３６（若しくは、普通変動入賞装置３７）に遊技球が入賞すると、始動権利の発生に伴って始動記憶が記憶されて、始動記憶数が１加算されるととともに、直ちに始動記憶に基づいて、第１特図変動表示ゲーム（第２特図変動表示ゲーム）が開始され、この際に始動記憶数が１減算される。
【００５６】
一方、第１特図変動表示ゲーム（第２特図変動表示ゲーム）が直ちに開始できない状態、例えば、既に第１若しくは第２特図変動表示ゲームが行われ、その特図変動表示ゲームが終了していない状態や、特別遊技状態となっている場合に、始動入賞口３６（若しくは、普通変動入賞装置３７）に遊技球が入賞すると、始動記憶数が上限数未満ならば、始動記憶数が１加算されて始動記憶が１つ記憶されることになる。そして、始動記憶数が１以上となった状態で、第１特図変動表示ゲーム（第２特図変動表示ゲーム）が開始可能な状態（前回の特図変動表示ゲームの終了若しくは特別遊技状態の終了）となると、始動記憶数が１減算されるとともに、記憶された始動記憶に基づいて第１特図変動表示ゲーム（第２特図変動表示ゲーム）が開始される。
なお、以下の説明において、第１特図変動表示ゲームと第２特図変動表示ゲームを区別しない場合は、単に特図変動表示ゲームと称する。
【００５７】
なお、特に限定されるわけではないが、上記始動入賞口３６内の始動口１スイッチ３６ａ、普通変動入賞装置３７内の始動口２スイッチ３７ａ、ゲートスイッチ３４ａ、一般入賞口スイッチ３５ａ、カウントスイッチ３８ａには、磁気検出用のコイルを備え該コイルに金属が近接すると磁界が変化する現象を利用して遊技球を検出する非接触型の磁気近接センサ（以下、近接スイッチと称する）が使用されている。遊技機１０のガラス枠１５等に設けられた前枠開放検出スイッチ６３や前面枠（遊技枠）１２等に設けられた遊技枠開放検出スイッチ６４には、機械的な接点を有するマイクロスイッチを用いることができる。
【００５８】
図３は、本実施形態のパチンコ遊技機１０の制御システムのブロック図である。
遊技機１０は遊技制御装置１００を備え、遊技制御装置１００は、遊技を統括的に制御する主制御装置（主基板）であって、遊技用マイクロコンピュータ（以下、遊技用マイコンと称する）１１１を有するＣＰＵ部１１０と、入力ポートを有する入力部１２０と、出力ポートやドライバなどを有する出力部１３０、ＣＰＵ部１１０と入力部１２０と出力部１３０との間を接続するデータバス１４０などからなる。
【００５９】
上記ＣＰＵ部１１０は、アミューズメントチップ（ＩＣ）と呼ばれる遊技用マイコン（ＣＰＵ）１１１と、入力部１２０内の近接スイッチ用のインタフェースチップ（近接Ｉ／Ｆ）１２１からの信号（始動入賞検出信号）を論理反転して遊技用マイコン１１１に入力させるインバータなどからなる反転回路１１２と、水晶振動子のような発振子を備え、ＣＰＵの動作クロックやタイマ割込み、乱数生成回路の基準となるクロックを生成する発振回路（水晶発振器）１１３などを有する。遊技制御装置１００及び該遊技制御装置１００によって駆動されるソレノイドやモータなどの電子部品には、電源装置４００で生成されたＤＣ３２Ｖ，ＤＣ１２Ｖ，ＤＣ５Ｖなど所定のレベルの直流電圧が供給されて動作可能にされる。
【００６０】
電源装置４００は、２４Ｖの交流電源から上記ＤＣ３２Ｖの直流電圧を生成するＡＣ−ＤＣコンバータやＤＣ３２Ｖの電圧からＤＣ１２Ｖ，ＤＣ５Ｖなどのより低いレベルの直流電圧を生成するＤＣ−ＤＣコンバータなどを有する通常電源部４１０と、遊技用マイコン１１１の内部のＲＡＭに対して停電時に電源電圧を供給するバックアップ電源部４２０と、停電監視回路や初期化スイッチを有し遊技制御装置１００に停電の発生、回復を知らせる停電監視信号や初期化スイッチ信号、リセット信号などの制御信号を生成して出力する制御信号生成部４３０などを備える。
【００６１】
この実施形態では、電源装置４００は、遊技制御装置１００と別個に構成されているが、バックアップ電源部４２０及び制御信号生成部４３０は、別個の基板上あるいは遊技制御装置１００と一体、即ち、主基板上に設けるように構成してもよい。遊技盤３０及び遊技制御装置１００は機種変更の際に交換の対象となるので、実施例のように、電源装置４００若しくは主基板とは別の基板にバックアップ電源部４２０及び制御信号生成部４３０を設けることにより、交換の対象から外しコストダウンを図ることができる。
【００６２】
上記バックアップ電源部４２０は、電解コンデンサのような大容量のコンデンサ１つで構成することができる。バックアップ電源は、遊技制御装置１００の遊技用マイコン１１１（特に内蔵ＲＡＭ）に供給され、停電中あるいは電源遮断後もＲＡＭに記憶されたデータが保持されるようになっている。制御信号生成部４３０は、例えば通常電源部４１０で生成された３２Ｖの電圧を監視してそれが例えば１７Ｖ以下に下がると停電発生を検出して停電監視信号を変化させるとともに、所定時間後にリセット信号を出力する。また、電源投入時や停電回復時にもその時点から所定時間経過後にリセット信号を出力する。
【００６３】
初期化スイッチ信号は初期化スイッチがオン状態にされたときに生成される信号で、遊技用マイコン１１１内のＲＡＭ１１１Ｃ及び払出制御装置２００内のＲＡＭに記憶されている情報を強制的に初期化する。特に限定されるわけではないが初期化スイッチ信号は電源投入時に読み込まれ、停電監視信号は遊技用マイコン１１１が実行するメインプログラムのメインループの中で繰り返し読み込まれる。リセット信号は強制割込み信号の一種であり、制御システム全体をリセットさせる。
【００６４】
遊技用マイコン１１１は、遊技を統括的に制御する制御手段を構成している。具体的には、遊技用マイコン１１１は、ＣＰＵ（中央処理ユニット：マイクロプロセッサ）１１１Ａ、読出し専用のＲＯＭ（リードオンリメモリ）１１１Ｂ及び随時読出し書込み可能なＲＡＭ（ランダムアクセスメモリ）１１１Ｃを備える。
【００６５】
ＲＯＭ１１１Ｂは、遊技制御のための不変の情報（プログラム、固定データ、各種乱数の判定値等）を不揮発的に記憶し、ＲＡＭ１１１Ｃは、遊技制御時にＣＰＵ１１１Ａの作業領域や各種信号や乱数値の記憶領域として利用される。ＲＯＭ１１１Ｂ又はＲＡＭ１１１Ｃとして、ＥＥＰＲＯＭのような電気的に書換え可能な不揮発性メモリを用いてもよい。また、ＲＯＭ１１１Ｂは、例えば、特図変動表示ゲームの実行時間、演出内容、リーチ状態の発生の有無などを規定する変動パターンを決定するための変動パターンテーブルを記憶している。
変動パターンテーブルとは、始動記憶として記憶されている変動パターン乱数１〜３をＣＰＵ１１１Ａが参照して変動パターンを決定するためのテーブルである。また、変動パターンテーブルには、結果がはずれとなる場合に選択されるはずれ変動パターンテーブル、結果が１５Ｒ当りや２Ｒ当りとなる場合に選択される大当り変動パターンテーブル等が含まれる。さらに、これらのパターンテーブルには、後半変動パターンテーブル、前半変動パターンテーブルが含まれている。
【００６６】
また、リーチ（リーチ状態）とは、表示状態が変化可能な表示装置を有し、該表示装置が時期を異ならせて複数の表示結果を導出表示し、該複数の表示結果が予め定められた特別結果態様となった場合に、遊技状態が遊技者にとって有利な遊技状態（特別遊技状態）となる遊技機１０において、複数の表示結果の一部がまだ導出表示されていない段階で、既に導出表示されている表示結果が特別結果態様となる条件を満たしている表示状態をいう。また、別の表現をすれば、リーチ状態とは、表示装置の変動表示制御が進行して表示結果が導出表示される前段階にまで達した時点でも、特別結果態様となる表示条件からはずれていない表示態様をいう。そして、例えば、特別結果態様が揃った状態を維持しながら複数の変動表示領域による変動表示を行う状態（いわゆる全回転リーチ）もリーチ状態に含まれる。また、リーチ状態とは、表示装置の表示制御が進行して表示結果が導出表示される前段階にまで達した時点での表示状態であって、表示結果が導出表示される以前に決定されている複数の変動表示領域の表示結果の少なくとも一部が特別結果態様となる条件を満たしている場合の表示状態をいう。
【００６７】
よって、例えば、特図変動表示ゲームに対応して表示装置に表示される飾り特図変動表示ゲームが、表示装置における左、中、右の変動表示領域の各々で所定時間複数の識別情報を変動表示した後、左、右、中の順で変動表示を停止して結果態様を表示するものである場合、左、右の変動表示領域で、特別結果態様となる条件を満たした状態（例えば、同一の識別情報）で変動表示が停止した状態がリーチ状態となる。またこの他に、すべての変動表示領域の変動表示を一旦停止した時点で、左、中、右のうち何れか二つの変動表示領域で特別結果態様となる条件を満たした状態（例えば、同一の識別情報となった状態、ただし特別結果態様は除く）をリーチ状態とし、このリーチ状態から残りの一つの変動表示領域を変動表示するようにしても良い。
【００６８】
そして、このリーチ状態には複数のリーチ演出が含まれ、特別結果態様が導出される可能性が異なる（信頼度が異なる）リーチ演出として、ノーマルリーチ、スペシャル１リーチ、スペシャル２リーチ、スペシャル３リーチ、プレミアリーチ等が設定されている。なお、信頼度は、リーチなし＜ノーマルリーチ＜スペシャル１リーチ＜スペシャル２リーチ＜スペシャル３リーチ＜プレミアリーチの順に高くなるようになっている。また、このリーチ状態は、少なくとも特図変動表示ゲームで特別結果態様が導出される場合（大当りとなる場合）における変動表示態様に含まれるようになっている。即ち、特図変動表示ゲームで特別結果態様が導出されないと判定すると（はずれとなる場合）における変動表示態様に含まれることもある。よって、リーチ状態が発生した状態は、リーチ状態が発生しない場合に比べて大当りとなる可能性の高い状態である。
ここで、ＣＰＵ１１１Ａは、始動記憶手段としてのＲＡＭ１１１Ｃに記憶された始動記憶に基づく特図変動表示ゲームにおいてリーチ状態を発生可能なリーチ状態発生手段をなす。
【００６９】
ＣＰＵ１１１Ａは、ＲＯＭ１１１Ｂ内の遊技制御用プログラムを実行して、払出制御装置２００や演出制御装置３００に対する制御信号（コマンド）を生成したりソレノイドや表示装置の駆動信号を生成して出力して遊技機１０全体の制御を行う。
また、図示しないが、遊技用マイコン１１１は、特図変動表示ゲームの大当り判定用乱数や大当りの図柄を決定するための大当り図柄用乱数、特図変動表示ゲームでの変動パターン（各種リーチやリーチ無しの変動表示における変動表示ゲームの実行時間等を含む）を決定するための変動パターン乱数、普図変動表示ゲームの当たり判定用乱数等を生成するための乱数生成回路と、発振回路１１３からの発振信号（原クロック信号）に基づいてＣＰＵ１１１Ａに対する所定周期（例えば、４ミリ秒）のタイマ割込み信号や乱数生成回路の更新タイミングを与えるクロックを生成するクロックジェネレータを備えている。
【００７０】
また、ＣＰＵ１１１Ａは、後述する特図ゲーム処理における始動口スイッチ監視処理（ステップＡ１）や特図普段処理（ステップＡ９）にて、ＲＯＭ１１１Ｂに記憶されている複数の変動パターンテーブルの中から、何れか一の変動パターンテーブルを取得する。具体的には、ＣＰＵ１１１Ａは、特図変動表示ゲームの遊技結果（大当り或いははずれ）や、現在の遊技状態としての特図変動表示ゲームの確率状態（通常確率状態或いは高確率状態）、現在の遊技状態としての普通変動入賞装置３７の動作状態（通常動作状態或いは時短動作状態）、始動記憶数などに基づいて、複数の変動パターンテーブルの中から、何れか一の変動パターンテーブルを選択して取得する。
【００７１】
払出制御装置２００は、図示しないが、ＣＰＵ、ＲＯＭ、ＲＡＭ、入力インタフェース、出力インタフェース等を備え、遊技制御装置１００からの賞球払出し指令（コマンドやデータ）に従って、払出ユニットの払出モータを駆動させ、賞球を払い出させるための制御を行う。また、払出制御装置２００は、カードユニットからの貸球要求信号に基づいて払出ユニットの払出モータを駆動させ、貸球を払い出させるための制御を行う。
【００７２】
遊技用マイコン１１１の入力部１２０には、始動入賞口３６内の始動口１スイッチ３６ａ、普通変動入賞装置３７内の始動口２スイッチ３７ａ、普図始動ゲート３４内のゲートスイッチ３４ａ、一般入賞口スイッチ３５ａ、カウントスイッチ３８ａに接続され、これらのスイッチから供給されるハイレベルが１１Ｖでロウレベルが７Ｖのような負論理の信号が入力され、０Ｖ−５Ｖの正論理の信号に変換するインタフェースチップ（近接Ｉ／Ｆ）１２１が設けられている。近接Ｉ／Ｆ１２１は、入力の範囲が７Ｖ−１１Ｖとされることで、近接スイッチのリード線が不正にショートされたり、スイッチがコネクタから外されたり、リード線が切断されてフローティングになったような異常な状態を検出することができ、異常検知信号を出力するように構成されている。
【００７３】
近接Ｉ／Ｆ１２１の出力はすべて第２入力ポート１２２へ供給されデータバス１４０を介して遊技用マイコン１１１に読み込まれるとともに、主基板１００から中継基板７０を介して図示しない試射試験装置へ供給されるようになっている。また、近接Ｉ／Ｆ１２１の出力のうち始動口１スイッチ３６ａと始動口２スイッチ３７ａの検出信号は、第２入力ポート１２２の他、反転回路１１２を介して遊技用マイコン１１１へ入力されるように構成されている。反転回路１１２を設けているのは、遊技用マイコン１１１の信号入力端子が、マイクロスイッチなどからの信号が入力されることを想定し、かつ負論理、即ち、ロウレベル（０Ｖ）を有効レベルとして検知するように設計されているためである。
【００７４】
従って、始動口１スイッチ３６ａと始動口２スイッチ３７ａとしてマイクロスイッチを使用する場合には、反転回路１１２を設けずに直接遊技用マイコン１１１へ検出信号を入力させるように構成することができる。つまり、始動口１スイッチ３６ａと始動口２スイッチ３７ａからの負論理の信号を直接遊技用マイコン１１１へ入力させたい場合には、近接スイッチを使用することはできない。上記のように近接Ｉ／Ｆ１２１は、信号のレベル変換機能を有する。このようなレベル変換機能を可能にするため、近接Ｉ／Ｆ１２１には、電源装置４００から通常のＩＣの動作に必要な例えば５Ｖのような電圧の他に、１２Ｖの電圧が供給されるようになっている。
【００７５】
また、入力部１２０には、遊技機１０の前面枠１２等に設けられた不正検出用の磁気センサスイッチ６５及び振動センサスイッチ６２からの信号及び上記近接Ｉ／Ｆ１２１により変換された始動入賞口３６内の始動口１スイッチ３６ａ、普通変動入賞装置３７内の始動口２スイッチ３７ａ、ゲートスイッチ３４ａ、一般入賞口スイッチ３５ａ、カウントスイッチ３８ａからの信号を取り込んでデータバス１４０を介して遊技用マイコン１１１に供給する第２入力ポート１２２が設けられている。第２入力ポート１２２が保持しているデータは、遊技用マイコン１１１が第２入力ポート１２２に割り当てられているアドレスをデコードすることによってイネーブル信号ＣＥ１をアサート（有効レベルに変化）することよって、読み出すことができる。後述の他のポートも同様である。
【００７６】
さらに、入力部１２０には、遊技機１０のガラス枠１５等に設けられた前枠開放検出スイッチ６３及び前面枠（遊技枠）１２等に設けられた遊技枠開放検出スイッチ６４からの信号及び払出制御装置２００からの払出異常を示すステータス信号や払出し前の遊技球の不足を示すシュート球切れスイッチ信号、オーバーフローを示すオーバーフロースイッチ信号を取り込んでデータバス１４０を介して遊技用マイコン１１１に供給する第１入力ポート１２３が設けられている。オーバーフロースイッチ信号は、下皿２３に遊技球が所定量以上貯留されていること（満杯になったこと）を検出したときに出力される信号である。
【００７７】
また、入力部１２０には、電源装置４００からの停電監視信号や初期化スイッチ信号、リセット信号などの信号を遊技用マイコン１１１等に入力するためのシュミットトリガ回路１２４が設けられており、シュミットトリガ回路１２４はこれらの入力信号からノイズを除去する機能を有する。電源装置４００からの信号のうち停電監視信号と初期化スイッチ信号は、一旦第１入力ポート１２３に入力され、データバス１４０を介して遊技用マイコン１１１に取り込まれる。つまり、前述の各種スイッチからの信号と同等の信号として扱われる。遊技用マイコン１１１に設けられている外部からの信号を受ける端子の数には制約があるためである。
【００７８】
一方、シュミットトリガ回路１２４によりノイズ除去されたリセット信号ＲＳＴは、遊技用マイコン１１１に設けられているリセット端子に直接入力されるとともに、出力部１３０の各ポートに供給される。また、リセット信号ＲＳＴは出力部１３０を介さずに直接中継基板７０に出力することで、試射試験装置へ出力するために中継基板７０のポート（図示省略）に保持される試射試験信号をオフするように構成されている。また、リセット信号ＲＳＴを中継基板７０を介して試射試験装置へ出力可能に構成するようにしてもよい。なお、リセット信号ＲＳＴは入力部１２０の各ポート１２２，１２３には供給されない。リセット信号ＲＳＴが入る直前に遊技用マイコン１１１によって出力部１３０の各ポートに設定されたデータはシステムの誤動作を防止するためリセットする必要があるが、リセット信号ＲＳＴが入る直前に入力部１２０の各ポートから遊技用マイコン１１１が読み込んだデータは、遊技用マイコン１１１のリセットによって廃棄されるためである。
【００７９】
出力部１３０は、データバス１４０に接続され払出制御装置２００へ出力する４ビットのデータ信号とデータの有効／無効を示す制御信号（データストローブ信号）及び演出制御装置３００へ出力するデータストローブ信号ＳＳＴＢを生成する第１出力ポート１３１と、演出制御装置３００へ出力する８ビットのデータ信号を生成する第２出力ポート１３２とを備える。遊技制御装置１００から払出制御装置２００及び演出制御装置３００へは、パラレル通信でデータが送信される。また、出力部１３０には、演出制御装置３００の側から遊技制御装置１００へ信号を入力できないようにするため、即ち、片方向通信を担保するために第１出力ポート１３１からの上記データストローブ信号ＳＳＴＢ及び第２出力ポート１３２からの８ビットのデータ信号を出力する単方向のバッファ１３３が設けられている。なお、第１出力ポート１３１から払出制御装置２００へ出力する信号に対してもバッファを設けるようにしてもよい。
【００８０】
さらに、出力部１３０には、データバス１４０に接続され図示しない認定機関の試射試験装置へ変動表示ゲームの特図図柄情報を知らせるデータや大当りの確率状態を示す信号などを中継基板７０を介して出力するバッファ１３４が実装可能に構成されている。このバッファ１３４は遊技店に設置される実機（量産販売品）としてのパチンコ遊技機の遊技制御装置（主基板）には実装されない部品である。なお、前記近接Ｉ／Ｆ１２１から出力される始動口スイッチなど加工の必要のないスイッチの検出信号は、バッファ１３４を通さずに中継基板７０を介して試射試験装置へ供給される。
【００８１】
一方、磁気センサスイッチ６５や振動センサスイッチ６２のようにそのままでは試射試験装置へ供給できない検出信号は、一旦遊技用マイコン１１１に取り込まれて他の信号若しくは情報に加工されて、例えば遊技機が遊技制御できない状態であることを示すエラー信号としてデータバス１４０からバッファ１３４、中継基板７０を介して試射試験装置へ供給される。なお、中継基板７０には、上記バッファ１３４から出力された信号を取り込んで試射試験装置へ供給するポートや、バッファを介さないスイッチの検出信号の信号線を中継して伝達するコネクタなどが設けられている。中継基板７０上のポートには、遊技用マイコン１１１から出力されるチップイネーブル信号ＣＥも供給され、該信号ＣＥにより選択制御されたポートの信号が試射試験装置へ供給されるようになっている。
【００８２】
また、出力部１３０には、データバス１４０に接続され特別変動入賞装置３８を開成させるソレノイド（大入賞口ソレノイド）３８ｂや普通変動入賞装置３７の可動部材３７ｂを開成させるソレノイド（普電ソレノイド）３７ｃの開閉データと、一括表示装置５０のＬＥＤのカソード端子が接続されているデジット線のオン／オフデータを出力するための第３出力ポート１３５、一括表示装置５０に表示する内容に応じてＬＥＤのアノード端子が接続されているセグメント線のオン／オフデータを出力するための第４出力ポート１３６、大当り情報など遊技機１０に関する情報を外部情報端子７１へ出力するための第５出力ポート１３７が設けられている。外部情報端子７１から出力された遊技機１０に関する情報は、例えば遊技店に設置された情報収集端末や遊技場内部管理装置（図示省略）に供給される。
【００８３】
さらに、出力部１３０には、第３出力ポート１３５から出力される大入賞口ソレノイド３８ｂの開閉データ信号を受けてソレノイド駆動信号や普電ソレノイド３７ｃの開閉データ信号を受けてソレノイド駆動信号を生成し出力する第１ドライバ（駆動回路）１３８ａ、第３出力ポート１３５から出力される一括表示装置５０の電流引き込み側のデジット線のオン／オフ駆動信号を出力する第２ドライバ１３８ｂ、第４出力ポート１３６から出力される一括表示装置５０の電流供給側のセグメント線のオン／オフ駆動信号を出力する第３ドライバ１３８ｃ、第５出力ポート１３７から管理装置等の外部装置へ供給する外部情報信号を外部情報端子７１へ出力する第４ドライバ１３８ｄが設けられている。
【００８４】
上記第１ドライバ１３８ａには、３２Ｖで動作するソレノイドを駆動できるようにするため、電源電圧としてＤＣ３２Ｖが電源装置４００から供給される。また、一括表示装置５０のセグメント線を駆動する第３ドライバ１３８ｃには、ＤＣ１２Ｖが供給される。デジット線を駆動する第２ドライバ１３８ｂは、表示データに応じたデジット線を電流で引き抜くためのものであるため、電源電圧は１２Ｖ又は５Ｖのいずれであってもよい。１２Ｖを出力する第３ドライバ１３８ｃによりセグメント線を介してＬＥＤのアノード端子に電流を流し込み、接地電位を出力する第２ドライバ１３８ｂによりカソード端子よりセグメント線を介して電流を引き抜くことで、ダイナミック駆動方式で順次選択されたＬＥＤに電源電圧が流れて点灯される。外部情報信号を外部情報端子７１へ出力する第４ドライバ１３８ｄは、外部情報信号に１２Ｖのレベルを与えるため、ＤＣ１２Ｖが供給される。なお、バッファ１３４や第３出力ポート１３５、第１ドライバ１３８ａ等は、遊技制御装置１００の出力部１３０、即ち、主基板ではなく、中継基板７０側に設けるようにしてもよい。
【００８５】
さらに、出力部１３０には、外部の検査装置５００へ各遊技機の識別コードやプログラムなどの情報を送信するためのフォトカプラ１３９が設けられている。フォトカプラ１３９は、遊技用マイコン１１１が検査装置５００との間でシリアル通信によってデータの送受信を行なえるように双方通信可能に構成されている。なお、かかるデータの送受信は、通常の汎用マイクロプロセッサと同様に遊技用マイコン１１１が有するシリアル通信端子を利用して行なわれるため、入力ポート１２２，１２３のようなポートは設けられていない。
【００８６】
次に、図４を用いて、演出制御装置３００の構成について説明する。
演出制御装置３００は、遊技用マイコン１１１と同様にアミューズメントチップ（ＩＣ）からなる主制御用マイコン（１ｓｔＣＰＵ）３１１と、該１ｓｔＣＰＵ３１１の制御下でもっぱら映像制御を行う映像制御用マイコン（２ｎｄＣＰＵ）３１２と、該２ｎｄＣＰＵ３１２からのコマンドやデータに従って表示装置４１への映像表示のための画像処理を行うグラフィックプロセッサとしてのＶＤＰ（Video Display Processor）３１３と、各種のメロディや効果音などをスピーカ１９ａ，１９ｂから再生させるため音の出力を制御する音源ＬＳＩ３１４を備えている。
【００８７】
上記主制御用マイコン（１ｓｔＣＰＵ）３１１と映像制御用マイコン（２ｎｄＣＰＵ）３１２には、各ＣＰＵが実行するプログラムを格納したＰＲＯＭ（プログラマブルリードオンリメモリ）からなるプログラムＲＯＭ３２１、３２２がそれぞれ接続され、ＶＤＰ３１３にはキャラクタ画像や映像データが記憶された画像ＲＯＭ３２３が接続され、音源ＬＳＩ３１４には音声データが記憶された音ＲＯＭ３２４が接続されている。主制御用マイコン（１ｓｔＣＰＵ）３１１は、遊技用マイコン１１１からのコマンドを解析し、演出内容を決定して映像制御用マイコン３１２へ出力映像の内容を指示したり、音源ＬＳＩ３１４への再生音の指示、装飾ランプの点灯、モータの駆動制御、演出時間の管理などの処理を実行する。主制御用マイコン（１ｓｔＣＰＵ）３１１と映像制御用マイコン（２ｎｄＣＰＵ）３１２の作業領域を提供するＲＡＭは、それぞれのチップ内部に設けられている。なお、作業領域を提供するＲＡＭはチップの外部に設けるようにしてもよい。
【００８８】
特に限定されるわけではないが、主制御用マイコン（１ｓｔＣＰＵ）３１１と映像制御用マイコン（２ｎｄＣＰＵ）３１２との間、主制御用マイコン（１ｓｔＣＰＵ）３１１と音源ＬＳＩ３１４との間は、それぞれシリアル方式でデータの送受信が行なわれ、映像制御用マイコン（２ｎｄＣＰＵ）３１２との間、主制御用マイコン（１ｓｔＣＰＵ）３１１とＶＤＰ３１３との間は、パラレル方式でデータの送受信が行なわれるように構成されている。パラレル方式でデータを送受信することで、シリアルの場合よりも短時間にコマンドやデータを送信することができる。ＶＤＰ３１３には、画像ＲＯＭ３２３から読み出されたキャラクタなどの画像データを展開したり加工したりするのに使用される超高速なＶＲＡＭ（ビデオＲＡＭ）３１３ａや、画像を拡大、縮小処理するためのスケーラ３１３ｂ、ＬＶＤＳ（小振幅信号伝送）方式で表示装置４１へ送信する映像信号を生成する信号変換回路３１３ｃなどが設けられている。
【００８９】
ＶＤＰ３１３から主制御用マイコン３１１へは表示装置４１の映像と前面枠１２や遊技盤３０に設けられている装飾ランプの点灯を同期させるために垂直同期信号ＶＳＹＮＣが入力される。さらに、ＶＤＰ３１３から映像制御用マイコン３１２へは、ＶＲＡＭへの描画の終了等処理状況を知らせるため割込み信号ＩＮＴ０〜ｎ及び映像制御用マイコン３１２からのコマンドやデータの受信待ちの状態にあることを知らせるためのウェイト信号ＷＡＩＴが入力される。また、映像制御用マイコン３１２から主制御用マイコン３１１へは、映像制御用マイコン３１２が正常に動作していることを知らせるとともにコマンドの送信タイミングを与える同期信号ＳＹＮＣが入力される。主制御用マイコン３１１と音源ＬＳＩ３１４との間は、ハンドシェイク方式でコマンドやデータの送受信を行うために、呼び掛け（コール）信号ＣＴＳと応答（レスポンス）信号ＲＴＳが交換される。
【００９０】
なお、映像制御用マイコン（２ｎｄＣＰＵ）３１２には、主制御用マイコン（１ｓｔＣＰＵ）３１１よりも高速なつまり高価なＣＰＵが使用されている。主制御用マイコン（１ｓｔＣＰＵ）３１１とは別に映像制御用マイコン（２ｎｄＣＰＵ）３１２を設けて処理を分担させることによって、主制御用マイコン（１ｓｔＣＰＵ）３１１のみでは実現困難な大画面で動きの速い映像を表示装置４１に表示させることが可能となるとともに、映像制御用マイコン（２ｎｄＣＰＵ）３１２と同等な処理能力を有するＣＰＵを２個使用する場合に比べてコストの上昇を抑制することができる。また、ＣＰＵを２つ設けることによって、２つのＣＰＵの制御プログラムを別々に並行して開発することが可能となり、これによって新機種の開発期間を短縮することができる。
【００９１】
また、演出制御装置３００には、遊技制御装置１００から送信されてくるコマンドを受信するインタフェースチップ（コマンドＩ／Ｆ）３３１が設けられている。このコマンドＩ／Ｆ３３１を介して、遊技制御装置１００から演出制御装置３００へ送信された変動開始コマンド、客待ちデモコマンド、ファンファーレコマンド、確率情報コマンド、及びエラー指定コマンド等を、演出制御指令信号として受信する。遊技制御装置１００の遊技用マイコン１１１はＤＣ５Ｖで動作し、演出制御装置３００の主制御用マイコン（１ｓｔＣＰＵ）３１１はＤＣ３．３Ｖで動作するため、コマンドＩ／Ｆ３３１には信号のレベル変換の機能が設けられている。
【００９２】
また、演出制御装置３００には、遊技盤３０（センターケース４０を含む）に設けられているＬＥＤ（発光ダイオード）を有する盤装飾装置４２を駆動制御する盤装飾ＬＥＤ制御回路３３２、前面枠１２に設けられているＬＥＤ（発光ダイオード）を有する枠装飾装置（例えば枠装飾装置１８等）を駆動制御する枠装飾ＬＥＤ制御回路３３３、遊技盤３０（センターケース４０を含む）に設けられている前記盤演出装置４４の駆動源としての回転体用モータ４４３，揺動部材用モータ４４４等を駆動制御する盤演出モータ／ＳＯＬ制御回路３３４、前面枠１２に設けられている枠演出装置（例えば前記ムービングライト１６を動作させるモータ等）４５を駆動制御する枠演出モータ制御回路３３５が設けられている。なお、ランプやモータ及びソレノイドなどを駆動制御するこれらの制御回路３３２〜３３５は、アドレス／データバス３０４を介して主制御用マイコン（１ｓｔＣＰＵ）３１１と接続されている。
【００９３】
さらに、演出制御装置３００には、前面枠１２に設けられた演出ボタン２５やセレクトボタン２９に内蔵されている内蔵スイッチ２５ａや上記盤演出装置４４内の回転体モータ４４３の初期位置を検出する演出モータスイッチ４３ａ、揺動部材モータ４４４の位置を検出する位置検出センサ４４ａ、回転体４４８の凹部（球保持部）に演出用の見せ球が保持されているか否か検出する球保持センサ４３ｂの状態を検出して主制御用マイコン（１ｓｔＣＰＵ）３１１へ検出信号を入力するスイッチ入力回路３３６、前面枠１２に設けられた上スピーカ１９ａを駆動するオーディオパワーアンプなどからなるアンプ回路３３７ａ、前面枠１２に設けられた下スピーカ１９ｂを駆動するアンプ回路３３７ｂが設けられている。
【００９４】
電源装置４００の通常電源部４１０は、上記のような構成を有する演出制御装置３００やそれによって制御される電子部品に対して所望のレベルの直流電圧を供給するため、モータやソレノイドを駆動するためのＤＣ３２Ｖ、液晶パネルからなる表示装置４１を駆動するためのＤＣ１２Ｖ、コマンドＩ／Ｆ３３１の電源電圧となるＤＣ５Ｖの他に、ＬＥＤやスピーカを駆動するためのＤＣ１８Ｖやこれらの直流電圧の基準としたり電源モニタランプを点灯させるのに使用するＮＤＣ２４Ｖの電圧を生成するように構成されている。さらに、主制御用マイコン（１ｓｔＣＰＵ）３１１や映像制御用マイコン（２ｎｄＣＰＵ）３１２として、３．３Ｖあるいは１．２Ｖのような低電圧で動作するＬＳＩを使用する場合には、ＤＣ５Ｖに基づいてＤＣ３．３ＶやＤＣ１．２Ｖを生成するためのＤＣ−ＤＣコンバータが演出制御装置３００に設けられる。なお、ＤＣ−ＤＣコンバータは通常電源部４１０に設けるようにしてもよい。
【００９５】
電源装置４００の制御信号生成部４３０により生成されたリセット信号ＲＳＴは、主制御用マイコン３１１、映像制御用マイコン３１２、ＶＤＰ３１３、音源ＬＳＩ３１４、ランプやモータなどを駆動制御する制御回路３３２〜３３５、スピーカを駆動するアンプ回路３３７ａ、３３７ｂに供給され、これらをリセット状態にする。また、この実施例においては、映像制御用マイコン３１２の有する汎用のポートを利用して、ＶＤＰ３１３に対するリセット信号を生成して供給する機能を有するように構成されている。これにより、映像制御用マイコン３１２とＶＤＰ３１３の動作の連携性を向上させることができる。
【００９６】
次に、これらの制御回路において行われる遊技制御について説明する。
遊技制御装置１００の遊技用マイコン１１１のＣＰＵ１１１Ａでは、普図始動ゲート３４に備えられたゲートスイッチ３４ａからの遊技球の検出信号の入力に基づき、普図の当たり判定用乱数値を抽出してＲＯＭ１１１Ｂに記憶されている判定値と比較し、普図変動表示ゲームの当たり外れを判定する処理を行う。そして、表示部５３の普図表示器に、識別図柄を所定時間変動表示した後、停止表示する普図変動表示ゲームを表示する処理を行う。この普図変動表示ゲームの結果が当たりの場合は、表示部５３の普図表示器に特別の結果態様を表示するとともに、普電ソレノイド３７ｃを動作させ、普通変動入賞装置３７の開閉部材３７ｂ、３７ｂを所定時間（例えば、０．３秒間）上述のように開放する制御を行う。
なお、普図変動表示ゲームの結果がはずれの場合は、表示部５３の普図表示器にはずれの結果態様を表示する制御を行う。
【００９７】
また、始動入賞口３６に備えられた始動口１スイッチ３６ａからの遊技球の検出信号の入力に基づき始動入賞（始動記憶）を記憶し、この始動記憶に基づき、第１特図変動表示ゲームの大当たり判定用乱数値を抽出してＲＯＭ１１１Ｂに記憶されている判定値と比較し、第１特図変動表示ゲームの当たり外れを判定する処理を行う。
また、普通変動入賞装置３７に備えられた始動口２スイッチ３７ａからの遊技球の検出信号の入力に基づき始動記憶を記憶し、この始動記憶に基づき、第２特図変動表示ゲームの大当たり判定用乱数値を抽出してＲＯＭ１１１Ｂに記憶されている判定値と比較し、第２特図変動表示ゲームの当たり外れを判定する処理を行う。
【００９８】
そして、遊技制御装置１００のＣＰＵ１１１Ａは、上記の第１特図変動表示ゲームや第２特図変動表示ゲームの判定結果を含む制御信号（演出制御コマンド）を、演出制御装置３００に出力する。そして、特図１表示器５１や特図２表示器５２に、識別図柄を所定時間変動表示した後、停止表示する特図変動表示ゲームを表示する処理を行う。
【００９９】
また、演出制御装置３００では、遊技制御装置１００からの制御信号に基づき、表示装置４１で特図変動表示ゲームに対応した飾り特図変動表示ゲームを表示する処理を行う。
さらに、演出制御装置３００は、遊技制御装置１００からの制御信号に基づき、盤演出装置４４による演出動作、スピーカ１９ａ，１９ｂからの音の出力、各種ＬＥＤの発光を制御する処理等を行う。
【０１００】
そして、遊技制御装置１００のＣＰＵ１１１Ａは、特図変動表示ゲームの結果が当たりの場合は、特図１表示器５１や特図２表示器５２に特別結果態様を表示するとともに、特別遊技状態を発生させる処理を行う。
特別遊技状態を発生させる処理においては、ＣＰＵ１１１Ａは、例えば、大入賞口ソレノイド３８ｂにより特別変動入賞装置３８の開閉扉３８ｃを開放させ、大入賞口内への遊技球の流入を可能とする制御を行う。
【０１０１】
そして、大入賞口に所定個数（例えば、１０個）の遊技球が入賞するか、大入賞口の開放から所定時間（例えば、２５秒又は１秒）が経過するかの何れかの条件が達成されるまで大入賞口を開放することを１ラウンドとし、これを所定ラウンド回数（例えば、１５回又は２回）継続する（繰り返す）制御（サイクル遊技）を行う。
また、特図変動表示ゲームの結果がはずれの場合は、特図１表示器５１や特図２表示器５２にはずれの結果態様を表示する制御を行う。
【０１０２】
また、遊技制御装置１００は、特図変動表示ゲームの結果態様に基づき、特別遊技状態の終了後に、遊技状態として確変状態を発生可能となっている。
この確変状態は、特図変動表示ゲームにて当り結果となる確率が、通常確率状態に比べて高い状態（高確率状態）である。また、第１特図変動表示ゲーム及び第２特図変動表示ゲームのどちらの特図変動表示ゲームの結果態様に基づき確変状態となっても、第１特図変動表示ゲーム及び第２特図変動表示ゲームの両方が確変状態となる。
【０１０３】
また、遊技制御装置１００は、特図変動表示ゲームの結果態様に基づき、特別遊技状態の終了後に、遊技状態として時短状態を発生可能となっている。
この時短状態においては、普図変動表示ゲーム及び普通変動入賞装置３７を時短動作状態とする制御を行う。具体的には、時短状態においては、上述の普図変動表示ゲームの実行時間が第１の変動表示時間よりも短い第２の変動表示時間となるように制御され（例えば、１０秒が１秒）、これにより、単位時間当りの普通変動入賞装置３７の開放回数が実質的に多くなるように制御される。また、時短状態においては、普図変動表示ゲームが当り結果となって普通変動入賞装置３７が開放される場合に、開放時間が通常状態の第１開放時間よりも長い第２開放時間となるように制御される（例えば、０．３秒が１．７秒）。また、時短状態においては、普図変動表示ゲームの１回の当り結果に対して、普通変動入賞装置３７の開放回数が１回の第１開放回数ではなく、２回以上の複数回（例えば、３回）の第２開放回数に設定される。
【０１０４】
なお、普図変動表示ゲームの実行時間を第２の変動表示時間（例えば、１秒）とする制御と、普通変動入賞装置３７の開放態様を開放時間が第２開放時間（例えば、１．７秒）とし、且つ、普図変動表示ゲームの１回の当り結果に対する開放回数が第２開放回数（例えば、３回）とする制御は、何れか一方のみを行っても良いし、両方を行っても良い。
これにより、普通変動入賞装置３７に遊技球が入賞し易くなり、第２特図変動表示ゲームの始動が容易となる。
【０１０５】
次に、盤演出装置４４の具体的な構成およびその動作について説明する。
図５は盤演出装置４４を正面側から見た斜視図、図６は盤演出装置４４の分解斜視図、図７は組立て状態の盤演出装置４４の背面図である。
図５および図６に示すように、盤演出装置４４は、前面および後面が開口され演出用の見せ球が循環可能な「凸」形の空間を形成する枠体４４５と、該枠体４４５の内側に配置された横に細長い樋状の揺動部材４４６と、枠体４４５の後端面に接合され後端開口部を完全に覆い枠体４４５の後壁を形成するユニットベース４４７とを備える。図示しないが、枠体４４５の前端面には前端開口部を完全に覆う透明なプレートが接合され、枠体４４５の内側に外部と完全に分離された空間を形成するように構成されている。透明なプレートを設ける代わりに、遊技盤前面のガラス基板で枠体４４５の前端開口部を覆うように構成しても良い。
【０１０６】
上記ユニットベース４４７の中央には、円形の収納凹部４４７ａが形成され、その中心には回転軸４４７ｃが前方へ向かって立設され、該回転軸４４７ｃには球保持部４４８ａ，４４８ｂを有する回転体４４８の中心に設けられた貫通孔４４８ｃが挿通され、回転軸４４７ｃによって回転体４４８が回転自在に支承されるようになっている。そして、貫通孔４４８ｃを貫通し前方へ突出した回転軸４４７ｃの先端に前記揺動部材４４６の中央の軸穴４４６ａが挿入され、揺動部材４４６は回転軸４４７ｃを中心にしてシーソーのように、左右両端が上下に揺動するように構成されている。また、揺動部材４４６はその底壁が見せ球の転動面として機能し、その転動面の前後両側には球転動方向に沿って見せ球の半径よりも高い起立壁としての前壁と後壁が設けられ、全体として樋状に形成されている。
【０１０７】
つまり、本実施形態の回転体ユニット（盤演出装置４４）は、揺動部材に、球が転動可能な転動面が形成され、該転動面の少なくとも前側には球転動方向に沿って球の半径より高い起立壁が形成されていることとなる。従って、回転体とは別の駆動源で回動される揺動部材の転動面上を球が転動するので、回転体の動きとは異なる球の動きが生じることにより、球の動きに対する遊技者の注意を惹きつけて興趣を高めることができる。また、揺動部材の転動方向と並行した側面に球の半径より高い起立壁が形成されているため、揺動部材の転動面上を頻繁に転動する球が回転体ユニット（盤演出装置４４）の前面を覆う部材に接触するのを回避して、汚れや傷がつくのを防止することができる。
【０１０８】
一方、上記回転体４４８は左右両方向に回転可能に構成されており、その背面には、前面に取付け用受け部４４９ａが設けられ中心に前記回転軸４４７ｃが挿通可能な貫通孔４４９ｃが形成されたギヤ４４９が接合、固定され、回転体４４８はギヤ４４９と一体に回転されるようになっている。また、ギヤ４４９は回転体４４８に形成されている球保持部４４８ａと４４８ｂの背面側のカバーとしても機能するようになっている。これにより、スペース効率を高めている。
【０１０９】
つまり、本実施形態の回転体ユニット（盤演出装置４４）は、回転体には駆動源（モータ４４３）よりギヤを介して動力が伝達されており、前記ギヤは、前記回転体に隣接して配置されることで前記球保持部の開口の一部を塞ぐ壁体を兼用するように構成されている。これにより、球保持部に壁を設けなくてよいので、その分部品（回転体）の構造が簡易になるとともに、球保持部に壁を設ける場合に比べて壁の分のスペースを節約できるので、ユニット全体の小型化が可能になる。
【０１１０】
また、本実施形態においては、上記球保持部４４８ａと４４８ｂは、４４８ａの方が４４８ｂよりも大きなサイズとされることにより、大きな径の見せ球を保持できるようにされている。また、回転体４４８の下端は、見せ球の転動面として機能する枠体４４６の底壁４４５ｂよりも低くなるように高さ位置が設定されている。さらに、ユニットベース４４７の収納凹部４４７ａの側方には円弧状のガイド孔４４７ｂが形成され、このガイド孔４４７ｂには前記揺動部材４４６の底壁側部に後方へ向かって突出するように固定された軸４４６ｂが挿入されている。
【０１１１】
そして、揺動部材４４６が揺動する際に軸４４６ｂはガイド孔４４７ｂに沿って移動するようになっており、ガイド孔４４７ｂと軸４４６ｂとによって揺動部材４４６の回動範囲規制手段が構成されている。ユニットベース４４７の下部には、ギヤ４５０を介して回転体４４８を回転させる回転駆動源としての回転体モータ４４３および揺動部材４４６の揺動駆動源としての揺動部材用モータ４４４を収納保持するモータ収納部４４７ｄ，４４７ｅが設けられている。回転体モータ４４３の軸の先端には、図７に示すように、上記ギヤ４４９と噛み合ってこれを回転させる駆動ギヤ４５０が固着されている。
【０１１２】
このモータ収納部４４７ｄと４４７ｅとの間の隙間には、上記回転体４４８前面の球保持部４４８ａ,４４８ｂ内に見せ球が入っているか否かを検出する球保持センサ４３ｂが配置されている。見せ球はプラスチックなど任意の材料で形成することができるが、見せ球が遊技領域３２に発射される遊技球と同様な磁性体である場合には、球保持センサ４３ｂは遊技領域で使用されるのと同様な非接触型の磁気センサで構成することができる。
また、ユニットベース４４７の側部には、図７に示すように、揺動部材４４６の水平位置を検出するロータリエンコーダとフォトセンサとからなる位置検出センサ４４ａが設けられている。さらに、ユニットベース４４７の前記ガイド孔４４７ｂと反対側の側部には、図７に示すように、上記ギヤ４４９と噛み合って回転されるギヤ４５１が設けられており、その近傍には該ギヤ４５１に設けられているマーカー（磁性片や透孔などの位置を示す印）を検知することでギヤ４４９すなわち回転体４４８の回転位置を検出するための位置検出センサ４４ａが設けられている。ギヤ４５１に設けるマーカーは、使用するセンサの種類に応じて適宜選択することができる。例えば、位置検出センサ４３ａとして、ギヤ４５１を挟んで対向配置した発光素子と受光素子からなるフォトセンサを使用する場合には、ギヤ４５１に設けた透孔をマーカーとし、磁気センサを使用する場合には磁性体片をマーカーとして使用すれば良い。
【０１１３】
さらに、揺動部材４４６の後壁中央上端には、回転体４４８の球保持部４４８ａまたは４４８ｂが真上に来た時に、球保持部４４８ａ,４４８ｂ内の見せ球を揺動部材４４６の転動面となる底壁上に落下可能にするためのＶ字状の切欠き４４６ｃが形成されている。また、揺動部材４４６の底壁には、図９に示すように、後壁の延長上に下方へ向かって垂下し回転体の下半分を覆うように半円板状のカバープレート４４６ｄが設けられ、該カバープレート４４６ｄには枠体４４５の底壁４４５ｂ上の見せ球を回転体４４８前面の球保持部４４８ａ,４４８ｂへ流入可能にするための逆Ｕ字状の切欠き４４６ｅが形成されている。従って、カバープレート４４６ｄは回転体４４８前面の球保持部４４８ａ,４４８ｂへの見せ球の流入を防ぐ開口封鎖部として機能する。
【０１１４】
なお、上記揺動部材４４６の後壁のＶ字状の切欠き４４６ｃの端面には、前方に向かって下り傾斜するテーパが形成され、球保持部４４８ａ,４４８ｂ内の見せ球を揺動部材４４６の底壁上へ流下し易くしている。また、枠体４４５の底壁４４５ｂの後端には、端面に沿って上記カバープレート４４６ｄの厚みおよび幅に対応した細長い切欠き４４５ａが形成されており、枠体４４５の後端面にユニットベース４４７を接合した時に、カバープレート４４６ｃを挿入可能なスリットが形成されるように構成されている。これにより、組立て状態の盤演出装置４４において不要な隙間が生じないようになっている。
【０１１５】
ここで、回転体４４８について、図８を用いて詳しく説明する。図８（Ａ）は回転体４４８を正面側から見た斜視図、図８（Ｂ）は回転体４４８を後方側から見た斜視図である。図８に示されているように、回転体４４８前面の球保持部４４８ａの外周側の底壁前端には段差部４４８ｄが形成され、一旦球保持部４４８ａ内へ見せ球が入ると前方へ移動しにくくなるように構成されている。球保持部４４８ｂに関しても同様である。また、図８（Ｂ）から分かるように、球保持部４４８ａ,４４８ｂの内周側の壁は、前方へ向かうほど軸穴４４８ａに近づくように傾斜されている。これにより、回転体４４８が１８０度回転して例えば球保持部４４８ａが上方に位置した姿勢になると、内部にある見せ球は球保持部４４８ａ,４４８ｂの内周側の傾斜した壁に沿って前方へ移動して揺動部材４４６の転動面上に流下するように構成されている。さらに、回転体４４８の背面には、図８（Ｂ）に示されているように、前記ギヤ４４９の前面の取付け受け部４４９ａと係合可能な取付けボス部４４８ｅが設けられている。
【０１１６】
上記のように構成された盤演出装置４４は、枠体４４５の内側の空間が揺動部材４４６によって、該揺動部材４４６とほぼ同一の横幅を有する上空間領域と、該上空間よりも左右に球１つ分以上それぞれ広い下空間領域とに分割される。そして、下空間に存在する見せ球は、回転体４４８がその球保持部４４８ａまたは４４８ｂが下方に位置しカバープレート４４６ｃの逆Ｕ字状の切欠き４４６ｅと一致した状態になると、球保持部４４８ａまたは４４８ｂに流入する。なお、一方の見せ球の径を、形状の大きな球保持部４４８ａよりも小さく、かつ形状の小さな球保持部４４８ｂよりも大きくなるようにした場合には、その径の大きな見せ球は、球保持部４４８ａには入るが４４８ｂには入らないようにすることができる。
【０１１７】
つまり、本実施形態の回転体ユニット（盤演出装置４４）の内部空間は、回転体のほぼ中段位置に横長に配置された揺動部材によって上空間領域と下空間領域とに分割され、前記揺動部材の回動に応じて前記上空間領域から下空間領域へ球の流下が可能であり、前記上空間領域においては、前記回転体が回動されて前記球保持部が前記上空間領域の所定位置に来た際に前記球保持部内の球が前記揺動部材の転動面上へ放出可能とされる一方、前記下空間領域においては、前記回転体カバー部材の開口封鎖部により前記球保持部へ球の流入が不能とされ、前記回転体および前記揺動部材がそれぞれ回動されて前記切欠き部と前記球保持部との位置が一致した場合に前記球保持部へ球の流入が可能とされる。これによって、回転体ユニットは、回転体の球保持部から球が放出される上空間領域と、回転体の球保持部へ球が流入する下空間領域とに分かれているため、上空間領域と下空間領域でそれぞれ球が移動可能であるとともに、揺動部材の回動に応じて上空間領域から下空間領域へ球の流下が可能であるためユニット内における球の移動経路が複雑となり、演出効果が高まる。
【０１１８】
球保持部４４８ａまたは４４８ｂに入った見せ球は、回転体４４８が１８０度回転して球保持部４４８ａまたは４４８ｂが上方に位置した姿勢になると、前方へ移動してＶ字状の切欠き４４６ｃから揺動部材４４６上の転動面上に流下し、揺動部材４４６が揺動されることで左右に転動する。また、揺動部材４４６上に流下した見せ球は、揺動部材４４６を大きく揺動させることにより揺動部材４４６上を左端または右端まで転動して、先端に生じた隙間から下空間へ移動し枠体４４５の底壁４４５ｂ上へ流下する。枠体４４５の底壁４４５ｂは中央へ向かって下り傾斜されており、下空間へ移動した見せ球は底壁４４５ｂに誘導されて中央へ流下する。上記の動作によって、枠体４４５内の見せ球は閉ざされた空間内で循環移動することとなる。揺動部材４４６を揺動させた際に、揺動部材４４６の先端と枠体４４５の壁面との間に、大きい方の見せ球の径よりも少し広い隙間が生じるようにガイド孔４４７ｂの範囲が設定される。
【０１１９】
つまり、本実施形態の回転体ユニット（盤演出装置４４）は、ユニット内の上空間領域を形成する回転体ユニットの側壁と揺動部材との間の隙間は球の半径以下とされ、下空間領域を形成する回転体ユニットの側壁と前記揺動部材の端部とは球１つ分以上の間隔を有し、前記揺動部材の側方が前記上空間領域から下空間領域への球の流下部とされ、前記揺動部材の転動面上の球は、前記揺動部材が所定角度以上回動することにより前記上空間領域から前記流下部を通過して前記下空間領域へ移動可能である。
従って、上転動面にある球は揺動部材が所定角度以上回動しなければ下空間領域には移動しないので、演出を実行したいときだけ所望のタイミングで回転体の球保持部へ流入可能である下空間領域へ球を流下させることができ、演出に合わせた球の移動制御を容易かつ確実に行うことができる。また、下空間領域から上空間領域へ球が逆流するのを防止できるとともに、揺動部材の転動面上へ放出した球を比較的長い時間上空間領域に待機させておくことができる。さらに、大小２個の球を回転体ユニット内に封入している場合に、回転体ユニットの側壁と揺動部材との間に小さい方の球のみ通過可能な隙間が生じるように揺動部材の回動角度を調整することで、揺動部材の転動面上へ放出した球のうち小さい方の球を先に下空間領域へ移動させるような演出を行うことができる。
本実施形態の遊技機は、上記のような動作をする盤演出装置４４を制御して、回転体４４８の球保持部４４８ａまたは４４８ｂから見せ球を枠体４４５の上空間に放出させ、さらに上空間内の見せ球を適当なタイミングで下空間へ移動させることにより、遊技機の内部制御状態がどのような状態にあるのかを暗示的に報知するようにしている。また、下空間へ移動した見せ球を回転体４４８の球保持部４４８ａ，４４８ｂに回収する際に、球保持部４４８ａまたは４４８ｂのいずれに流入させるかで遊技機の内部制御状態を暗示的に報知する演出を行うことも可能である。なお、枠体４４５内に封入する見せ球は１個でもよいし、２個でもよい。大小複数の見せ球を封入しておくことによって、より複雑な演出を行わせることができる。また、大きさを変える代わりに、色や材質を変えて識別できるように構成しても良い。
【０１２０】
上述したように、本実施形態は、遊技球が入賞可能な開状態と、遊技球が入賞不可能な閉状態とに変換可能な変動入賞装置を遊技領域に備え、所定条件の成立に基づき、前記変動入賞装置を開閉動作させる遊技者に有利な特別遊技状態を発生させる遊技機において、前記遊技領域に、球を保持可能な球保持部を備えた回転体を有する回転体ユニット（盤演出装置４４）を備え、前記回転体ユニットは、前記回転体と、前記回転体の前方に揺動可能に配置された揺動部材とを備え、前記回転体と前記揺動部材は、それぞれ異なる駆動源（モータ４４３，４４４）により回動可能に構成され、前記揺動部材は、前記回転体の前記球保持部の開口側に配置され球が通過不能な開口封鎖部と、球が通過可能な切欠き部とが形成された回転体カバー部材（カバープレート４４６ｄ）と、を有し、前記球保持部と前記切欠き部とが重なった場合に球が前記球保持部へ流入可能な流入可能状態となる。
【０１２１】
従って、回転体と揺動部材がそれぞれ異なる駆動源により回動可能に構成されているため、回転体と揺動部材が別々に回動されることで球保持部の入口がランダムな場所で流入可能状態となるので、回転体への遊技球の流入タイミングが予測し難くなり、遊技の興趣が高まる。また、回転体の前方に他の駆動源により揺動する揺動部材を設けたので、回転体の回転方向や速度を変化させるなど回転体の動きに制約を与えずに、回転体の球保持部入口と回転体カバー部材の切欠き部との間に球が挟まれてしまう球噛みが発生するのを防止することができる。
【０１２２】
以下、上記盤演出装置４４を使用した演出の一例について説明する。本実施例では、実行中の変動表示ゲームの停止結果が大当たりを発生する可能性が高いことを演出によって報知するいわゆる予告演出を、上記盤演出装置４４を使用して実行する場合について説明する。
図１０および図１１には、演出制御装置３００により予告演出を実行するための制御手順が示されている。このうち、図１０は演出制御装置３００のメイン処理の中で実行される変動表示遊技（変動表示ゲーム）実行処理、図１１は図１０の変動表示遊技実行処理の中で実行される回転体予告演出実行処理の詳しい手順を示したものである。なお、図１０の変動表示遊技実行処理が実行される前においては、図１２（Ａ）または図１５（Ａ）に示すように、盤演出装置４４では回転体４４８の球保持部４４８ａ、４４８ｂ内に見せ球が保持されていて前方から見せ球が見えない状態になっているものとする。
【０１２３】
変動表示遊技実行処理が開始されると演出制御装置３００は、先ず遊技制御装置１００から変動開始コマンドを受信したか否か判定する（ステップＳ１１）。ここで、変動開始コマンドを受信していない（ステップＳ１１：Ｎｏ）と判定すると、何もしないで当該変動表示遊技実行処理から抜ける。一方、ステップＳ１１で、変動開始コマンドを受信した（Ｙｅｓ）と判定すると、液晶表示装置４１における図柄変動表示を開始する（ステップＳ１２）。それから、当該変動表示遊技は変動中に上記盤演出装置４４を使用した回転体予告演出を実行するものであるか否かの判定を行う（ステップＳ１３）。
【０１２４】
このステップで、回転体予告演出を実行しない（Ｎｏ）と判定すると次のステップＳ１４をスキップして、ステップＳ１５へ移行し変動停止コマンドを受信しているか否か判定する。このステップＳ１５で変動停止コマンドを受信していない（Ｎｏ）と判定すると、変動停止コマンドを受信するのを待つ。そして、変動停止コマンドを受信した（ステップＳ１５：Ｙｅｓ）と判定すると、図柄変動表示を停止する処理（ステップＳ１６）を行い、当該変動表示遊技実行処理を終了する。一方、ステップＳ１３で、回転体予告演出を実行する遊技である（Ｙｅｓ）と判定すると、回転体予告演出実行処理（ステップＳ１４）を実行する。
【０１２５】
回転体予告演出実行処理においては、図１１に示すように、先ず回転体４４８を球保持部内の見せ球を放出可能な位置すなわち球保持部４４８ａが上方に位置する角度まで回動させる（ステップＳ１４１）。なお、図５の盤演出装置４４による演出においては、内部に封入されている見せ球が１個か２個かによって制御内容が若干異なってくるので、以下、見せ球が１個の場合を第１使用例、２個の場合を第２使用例として説明する。
【０１２６】
盤演出装置４４の内部に封入されている見せ球が１個である第１使用例の場合には、回転体予告演出実行処理が開始されると、先ずステップＳ１４１で、球保持部４４８ａが上方に位置する角度まで回転体４４８を回動させる。封入されている見せ球が２個である第２使用例の場合には、遊技制御装置１００から送られてきたコマンドを参照して球保持部４４８ａまたは４４８ｂのどちらの見せ球を放出するか判別し、判別した方の見せ球が排出されるように、回転体４４８の回転方向を決定してその方向へ回動させる。なお、この回動は、位置検出センサ４４ａからの信号に基づいて実行される。次に、ステップＳ１４２で、揺動部材４４６を所定の態様で左右に揺動させる。具体的には、揺動部材４４６を所定の角度範囲内で揺動させて、球保持部４４８ａまたは４４８ｂから揺動部材４４６上へ放出された見せ球を左右に移動させて遊技客の注意を惹きつける。
【０１２７】
その後、第２演出段階を実行するタイミングになったか否か判定する（ステップＳ１４３）。この判定で、第２演出段階の実行タイミングになっていない場合（ステップＳ１４３：Ｎｏ）には、ステップＳ１４２へ戻って揺動部材４４６の揺動を継続する。また、ステップＳ１４３で第２演出段階の実行タイミングになったと判定した場合（ステップＳ１４３：Ｙｅｓ）には、ステップＳ１４４へ移行して、揺動部材４４６上の見せ球を左または右のいずれの側から下空間へ流下させるかを判定する。なお、変動表示ゲームの結果が大当たりになる場合とならない場合とで、見せ球を流下させる側の確率が異なるようにテーブルを設定しておくことによって、見せ球が揺動部材４４６の左側から流下したか右側から流下したかによって、変動表示ゲームの結果等に対する遊技客の期待度を異ならせることができる。
【０１２８】
上記ステップＳ１４４で揺動部材４４６上の見せ球を右側から下空間へ流下させると判定した場合（ステップＳ１４４：Ｙｅｓ）には、揺動部材４４６の右側が下がるように最大角度まで傾斜させる（ステップＳ１４５）。また、ステップＳ１４４で揺動部材４４６上の見せ球を左側から下空間へ流下させると判定した場合（ステップＳ１４４：Ｎｏ）には、揺動部材４４６の左側が下がるように最大角度まで傾斜させる（ステップＳ１４６）。これによって、揺動部材４４６上の見せ球は、所望の側から揺動部材４４６の下方の空間へ流下させることができる。
続いて、揺動部材４４６を所定の態様で揺動させるとともに、回転体４４８を所定の態様で回転させる（ステップＳ１４７，Ｓ１４８）。揺動部材４４６を所定の態様で揺動させるのは、揺動部材４４６から垂下するカバープレート４４６ｄの切欠き４４６ｅの位置を左右に揺動させることで、枠体４４５の底壁４４５ｂ上を移動する見せ球が回転体４４８の球保持部４４８ａ（または４４８ｂ）に流入するタイミングを分かりにくくするためである。また、揺動部材４４６を揺動させることで、カバープレート４４６ｄの切欠き４４６ｅと回転体４４８の球保持部の前端との間に見せ球が挟み込まれてしまう球噛みの発生を防止することができる。
【０１２９】
なお、盤演出装置４４の内部に封入されている見せ球が２個である第２使用例の場合、ステップＳ１４８の回転体４４８の回転制御では、遊技制御装置１００から受信した変動開始コマンドに含まれている回転体予告演出のコマンドに基づいて、その回転速度や角度を制御することで見せ球を所望の球保持部へ流入させる制御を行う。見せ球が１個の場合には、変動表示ゲームの結果が大当たりになる場合とならない場合とで、見せ球を球保持部へ流入させる確率が異なるようにテーブルを設定しておくことによって、大小いずれの球保持部へ見せ球が流入したかによって、変動表示ゲームの結果等に対する遊技客の期待度を異ならせることができる。
その後、ステップＳ１４９で、球保持センサ４３ｂが球保持部内の見せ球の存在を検出したか否か判定する。ここで、球保持センサ４３ｂが見せ球を検出していない（ステップＳ１４９：Ｎｏ）と判定すると、ステップＳ１４７へ戻って揺動部材４４６の揺動と回転体４４８の回転制御を継続する。一方、球保持センサ４３ｂが見せ球を検出した（ステップＳ１４９：Ｙｅｓ）と判定すると、ステップＳ１５０へ移行して、例えば球保持部が図１２（Ａ）に示すように、カバープレート４４６ｄの切欠き４４６ｅからずれて前方から見えないような待機位置まで回転体４４８を回動させて停止する。
【０１３０】
次に、盤演出装置４４の内部に封入されている見せ球が１個の場合の第１使用例における盤演出装置４４の具体的な動作と、封入されている見せ球が２個の場合の第２使用例における盤演出装置４４の具体的な動作を、図面を用いて説明する。
第１使用例においては、演出制御開始前にあっては図１２（Ａ）に示すように、回転体４４８の球保持部４４８ａ内に見せ球が保持されていて前方から見せ球が見えない状態になっている。次に、図１１の変動表示遊技実行処理が開始されると、図１２（Ｂ）に示すように、球保持部４４８ａが上方へ位置するように回転体４４８が回動される。すると、揺動部材４４６の後壁にはＶ字状の切欠き４４６ｃが形成されているとともに、回転体４４８の球保持部４４８ａの内周側の壁面が前方へ向かって下り傾斜するように形成されているため、図１８（Ｂ）に示すように、球保持部４４８ａ内の見せ球が自重で揺動部材４４６上へ放出される。なお、このとき揺動部材４４６は水平な姿勢に維持されている。
【０１３１】
その後、図１３（Ａ）に示すように、揺動部材４４６が揺動されると転動面である底壁が傾斜して揺動部材４４６上の見せ球が移動するが、第１演出段階では揺動部材４４６は最大傾斜まで回動されない。そのため、揺動部材４４６の端部と枠体４４５の壁面との間に充分な隙間が生じないので、揺動部材４４６上の見せ球が下方の空間へ流下することはない。その後、第２演出段階の実行タイミングになると、図１３（Ｂ）に示すように、揺動部材４４６が最大傾斜まで回動されて揺動部材４４６の端部（図では右側）と枠体４４５の壁面との間に球１つ分以上の隙間が生じるため、揺動部材４４６上の見せ球が枠体４４５の下方の空間へ流下される。
そして、回転体４４８の回転および揺動部材４４６の揺動が開始され、球保持部４４８ａとカバープレート４４６ｄの切欠き４４６ｅとが一致したタイミングで、図１４に示すように、枠体４４５の底壁４４５ｂ上の見せ球が球保持部４４８ａへ流入することとなるのであるが、回転体４４８および揺動部材４４６が別々に回動されるため、流入するタイミングが分かりにくくなる。また、図１９（Ｂ）に示すように、回転体４４８の球保持部４４８ａの外周側の壁面が前端に段差部４４８ｄが設けられているため、球保持部４４８ａ内の見せ球が枠体４４５の底壁４４５ｂ上へ戻りにくくすることができる。
【０１３２】
第２使用例においては、演出制御開始前にあっては図１５（Ａ）に示すように、回転体４４８の球保持部４４８ａ，４４８ｂ内にそれぞれ大きい見せ球Ｂ１と小さい見せ球Ｂ２が保持されていて前方から見せ球が見えない状態になっている。次に、図１１の変動表示遊技実行処理が開始されると、回転体４４８が回動される。このとき、球保持部４４８ａ，４４８ｂのどちらの球保持部内の見せ球を放出したいかによって回転方向が選択される。なお、球保持部４４８ａ，４４８ｂのどちらから見せ球が放出されるかによって、期待度を異ならせることができる。
例えば球保持部４４８ａ内の見せ球Ｂ１を放出したい場合は図１５（Ｂ）に示すように、回転体４４８は時計回り方向に回転され、球保持部４４８ｂ内の見せ球Ｂ２を放出したい場合は回転体４４８は反時計回り方向に回転される（図示省略）。この際、他方の球保持部はカバープレート４４６ｄの切欠き４４６ｅの後方を移動することとなるが、回転体４４８の下端が枠体４４６の底壁４４５ｂよりも低くなるように高さ位置が設定されているため、球保持部内に保持されている見せ球は、底壁４４５ｂの後端によって前方への移動が阻止されるようになっている。
【０１３３】
続いて、例えば図１６（Ａ）に示すように、球保持部４４８ａが上方へ位置するように回転体４４８が回動されたとすると、揺動部材４４６の後壁にはＶ字状の切欠き４４６ｃが形成されているとともに、図１８（Ｂ）に示すように、回転体４４８の球保持部４４８ａの内周側の壁面が前方へ向かって下り傾斜するように形成されているため、球保持部４４８ａ内の見せ球が自重で揺動部材４４６上へ放出される。なお、このとき揺動部材４４６は水平な姿勢に維持されている。
その後、図１６（Ｂ）に示すように、揺動部材４４６が揺動されると傾斜して揺動部材４４６上の見せ球が移動するが、揺動部材４４６は最大傾斜まで回動されないため、揺動部材４４６の端部と枠体４４５の壁面との間に充分な隙間が生じないので、揺動部材４４６上の見せ球が下方の空間へ流下することはない。その後、第２演出段階の実行タイミングになると、図１７（Ａ）に示すように、揺動部材４４６が最大傾斜まで回動されて揺動部材４４６の端部（図では左側）と枠体４４５の壁面との間に充分な隙間が生じるため、揺動部材４４６上の見せ球が枠体４４５の下方の空間へ流下される。この際、揺動部材４４６の左右どちらから見せ球が流下するかによって、期待度を変化させることができる。
そして、回転体４４８の回転および揺動部材４４６の揺動が開始され、球保持部４４８ａとカバープレート４４６ｄの切欠き４４６ｅとが一致したタイミングで、図１７（Ｂ）に示すように、枠体４４５の底壁４４５ｂ上の見せ球が球保持部４４８ａへ流入することとなるのであるが、回転体４４８および揺動部材４４６が別々に回動されるため、流入するタイミングが分かりにくくなる。また、図１９（Ｂ）に示すように、回転体４４８の球保持部４４８ａの外周側の壁面が前端に段差部４４８ｄが設けられているため、球保持部４４８ａ内の見せ球が枠体４４５の底壁４４５ｂ上へ戻りにくくすることができる。なお、第１使用例とは異なり、第２使用例においては見せ球が流入する球保持部は決まっているため、球保持部へ見せ球を流入させる過程は予告演出の内容に含まれない。
【０１３４】
次に、前記実施例の盤演出装置４４の第３の使用例について説明する。第３の使用例は、枠体４４５内に封入された大小２つの見せ球を、一回の変動表示ゲーム中に２つとも放出させるものである。具体的には、先ず小さい方の見せ球を放出させて遊技者に若干期待感を持たせた後、さらに大きい方の見せ球を放出させることで、期待感を上昇させるような演出を行うことができる。
この第３の使用例と前記第２の使用例を織り交ぜたような演出を行うことで、遊技の興趣をさらに高めることができる。なお、この第３の使用例を実行し放出した２つの見せ球を球保持部４４８ａ，４４８ｂへ回収する場合には、先ず小さな見せ球を球保持部４４８ｂ内へ回収するように回転体４４８の回転方向を決定するのがよい。これにより、サイズの大きな方の球保持部４４８ａ内へ小さな見せ球が流入して、大きな見せ球を回収することができなくなってしまうのを回避することができる。
【０１３５】
次に、前記実施例の盤演出装置４４の第４の使用例について説明する。第４の使用例は、枠体４４５内に封入された見せ球を、複数回の変動表示ゲームに渡った演出中に順次放出させるものである。封入される見せ球は大小２つであるが、一連の演出で放出するのはいずれか一方とする。
具体的には、始動入賞の保留記憶情報の先読みを行い、先読み演出を実行すると判定した場合は、予告対象となる変動表示ゲームの開始前に回転体４４８から揺動部材４４６上へ見せ球を放出させて第１段階の予告演出を行う。この際、小さな見せ球を放出するか大きい方の見せ球を放出させるかで遊技者の期待度を異ならせる。その後、予告対象の変動表示ゲームが開始したなら、揺動部材４４６上に放出されている見せ球を左右いずれかの流下部より枠体４４５の下方空間へ流下させる。このとき、どちらの経路から見せ球が流下したかで、期待度を異ならせる演出を行うことができる。
【０１３６】
次に、上記実施例の盤演出装置４４の電源投入時の動作（初期動作確認）について説明する。
図２０には、本実施例の盤演出装置４４の電源投入時の動作が示されている。本実施例の盤演出装置４４は、電源が投入されると例えば図２０（Ａ）に示すように球保持部４４８ａ，４４８ｂに２つの封入球（見せ球）Ｂ１，Ｂ２がそれぞれ保持された状態（初期状態）から、モータを駆動して回転体４４８を左右いずれかの方向へ一回転させる。回転体４４８を一回転させると球保持部４４８ａ，４４８ｂ内の封入球Ｂ１，Ｂ２はそれぞれ球保持部から揺動部材４４６へ放出される。このとき封入球Ｂ１，Ｂ２の順序はどちらが先でも構わない。
その後、揺動部材４４６を大きく揺動させて上空間から下空間へ封入球Ｂ１，Ｂ２を流下させる。また、回転体４４８を回転させて、図２０（Ｂ）に示すように球保持部４４８ｂを最も低い位置に移動させる。なお、回転体４４８の角度位置は演出モータスイッチ（モータ位置センサ）４３ａからの信号によって知ることができる。すると、小さな封入球Ｂ２が先に切欠き４４６ｅに到達していれば、球Ｂ２が回転体カバープレート４４６ｄの切欠き４４６ｅより球保持部４４８ｂ内へ流入して保持される。一方、大きい封入球Ｂ１が先に切欠き４４６ｅに到達していれば、封入球Ｂ１は球保持部４４８ｂ内へ流入できず流下管４４２内に残留する。
【０１３７】
そこで、次に回転体４４８を反時計回り（左回り）方向へ回転させて、図２０（Ｃ）に示すように球保持部４４８ａを最も低い位置に移動させる。すると、下空間内の大きな封入球Ｂ１が球保持部４４８ａ内へ流入する。その後、回転体４４８を反時計回り（左回り）方向へ回転させて、図２０（Ｄ）に示すように再度球保持部４４８ｂを最も低い位置に移動させる。すると、封入球Ｂ２が後から切欠き４４６ｅに到達した場合であっても、下空間内の封入球Ｂ２が球保持部４４８ｂ内へ流入して保持される。
上記のようにして、２つの封入球Ｂ１，Ｂ２を回転体４４８の球保持部４４８ａ，４４８ｂ内に回収した後に、回転体４４８を反時計回り（左回り）方向へ回転させて図２０（Ａ）に示すような初期状態に戻す。このように、上記実施形態の盤演出装置（回転体ユニット）４４を備えた遊技機において、上記のような電源投入時動作で封入球が回転体の球保持部に収納される初期状態に戻った状態で電源を遮断することで、搬送中に演出用の封入球が盤演出装置内を移動して暴れて部品が損傷するのを防止することが出来る。
【０１３８】
さらに、上記のような電源投入時の動作がなされている間は、例えば盤装飾装置４２の赤色ランプを点灯させ、電源投入時動作が終了すると盤装飾装置４２の青色ランプを点灯させる。このような表示を行うことによって、工場出荷時の点検において、電源を投入してから盤装飾装置４２のランプが赤色から青色へ変化するのを待ってから電源をオフすることで、盤演出装置４４を、確実に２つの封入球Ｂ１，Ｂ２を回転体４４８の球保持部４４８ａ，４４８ｂに保持させた初期状態に設定することができる。また、盤装飾装置４２のランプが赤、青、黄の３色を有する場合には、電源投入直後は赤色を点灯し、盤演出装置４４の動作中は黄色を点灯し、動作終了後に青色を点灯させることによって誤って動作中に電源が遮断されて初期状態に戻らなくなるのを回避することができる。
【０１３９】
以上本発明者によってなされた発明を実施形態に基づき具体的に説明したが、本発明は前記実施形態に限定されるものではない。例えば、前記実施形態では、回転体ユニットの枠体４４５の側壁と揺動部材４４６の端部との隙間が、上空間側と下空間側とで異なるように枠体４４５を階段状に形成しているが、段差はなくても良い。また、枠体４４５の側壁と揺動部材４４６の端部との隙間から見せ球を流下させる代わりに、揺動部材４４６の端部に近い部位の底壁に見せ球が通過可能な大きさの開口を形成するとともに、その内側に外側に向かって高くなるようなスロープを形成し、小さな揺動では見せ球はスロープを越えられず、大きな揺動になるとスロープを越えるように設定しても良い。
さらに、前記実施形態では、球保持部を有する回転体を備え見せ球を使用した演出を行う回転体ユニットとして、閉鎖された空間に封入された見せ球を循環させて演出を行うように構成された盤演出装置４４について説明したが、本発明に係る回転体ユニットは、遊技領域を流下する遊技球が飛び込んで回転体の球保持部に流入するか否かを演出として見せるように構成された電動役物装置にも適用することができる。
【０１４０】
なお、本発明の遊技機は、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１４１】
１０      遊技機
３２      遊技領域
３８      変動入賞装置
４４      盤演出装置（回転体ユニット）
４４３    回転体用モータ（駆動源）
４４４    揺動部材用モータ（駆動源）
４４６    揺動部材
４４６ｄ  回転体カバープレート（回転体カバー部材）
４４６ｅ  切欠き部
４４８    回転体
４４８ａ，４４８ｂ  球保持部
４４９    ギヤ
１００    遊技制御装置
３００    演出制御装置
【図１】
2011245030.tif 000003
【図２】
2011245030.tif 000004
【図３】
2011245030.tif 000005
【図４】
2011245030.tif 000006
【図５】
2011245030.tif 000007
【図６】
2011245030.tif 000008
【図７】
2011245030.tif 000009
【図８】
2011245030.tif 000010
【図９】
2011245030.tif 000011
【図１０】
2011245030.tif 000012
【図１１】
2011245030.tif 000013
【図１２】
2011245030.tif 000014
【図１３】
2011245030.tif 000015
【図１４】
2011245030.tif 000016
【図１５】
2011245030.tif 000017
【図１６】
2011245030.tif 000018
【図１７】
2011245030.tif 000019
【図１８】
2011245030.tif 000020
【図１９】
2011245030.tif 000021
【図２０】
2011245030.tif 000022